(57)【要約】【課題】コンテンツサーバなどの大掛かりな装置を必要とすることなく、気軽に視聴継続を楽しむことができる。【解決手段】端末再生制御部２と、所定エリア内に存在する小型ＴＶ２０Ａ・ステレオ２０Ｂを特定するエリア内装置特定部６と、端末再生制御部２によって再生が行なわれている映画コンテンツのコンテンツプロトコルに適合する小型ＴＶ２０Ａを、エリア内装置特定部６によって特定された小型ＴＶ２０Ａ・ステレオ２０Ｂから特定する適合装置特定部９と、適合装置特定部９によって特定された小型ＴＶ２０Ａに、映画コンテンツのデータを送信する端末送信制御部１０とを備える。【選択図】図１
2009060512.tif 000002
【特許請求の範囲】
【請求項１】
コンテンツの再生が可能な携帯端末であって、
コンテンツの再生を行なう端末再生制御手段と、
所定領域内に存在する１つ以上の通信可能な再生装置を特定する領域内装置特定手段と、
前記端末再生制御手段によって再生が行なわれている再生コンテンツに関する規約であるコンテンツプロトコルに適合する再生装置を、前記領域内装置特定手段によって特定された再生装置から特定する適合装置特定手段と、
前記適合装置特定手段によって特定された再生装置に、前記再生コンテンツのデータを送信するデータ送信制御手段とを備えることを特徴とする携帯端末。
【請求項２】
前記データ送信制御手段は、前記再生コンテンツのデータの送信を、送信先の再生装置における該再生コンテンツの記録が不能な状態で行なうことを特徴とする請求項１に記載の携帯端末。
【請求項３】
自端末の所定範囲外への移動を検出する端末移動検出手段を備えており、
前記データ送信制御手段は、前記所定領域内に存在する１つ以上の通信可能な再生装置に対して前記再生コンテンツのデータを送信している場合において、前記端末移動検出手段により前記所定範囲外へ移動したと検出された場合に、前記再生装置に対する前記再生コンテンツのデータの送信を中止することを特徴とする請求項２に記載の携帯端末。
【請求項４】
前記端末再生制御手段は、前記領域内装置特定手段によって特定された再生装置の中に、前記コンテンツプロトコルに適合する再生装置が存在しない場合には、前記再生コンテンツの再生を自端末において引き続き行なうことを特徴とする請求項１、２又は３に記載の携帯端末。
【請求項５】
前記適合装置特定手段は、前記再生装置と、前記コンテンツプロトコルとの適合関係を示す適合関係情報に基づいて、前記再生コンテンツのコンテンツプロトコルに適合する再生装置を特定することを特徴とする請求項１から４までのいずれか１項に記載の携帯端末。
【請求項６】
前記適合装置特定手段によって特定された１つ以上の再生装置の候補の表示を行なう表示部と、
該表示部に表示された再生装置の候補から再生装置をユーザーが選択するための装置選択手段とを備え、
前記データ送信制御手段は、前記装置選択手段を介してユーザーによって選択された再生装置に、前記再生コンテンツのデータの送信を行なうことを特徴とする請求項１から５までのいずれか１項に記載の携帯端末。
【請求項７】
前記データ送信制御手段は、前記適合装置特定手段によって特定された複数の再生装置が存在している場合に、該複数の再生装置のうち、予め定められた優先順位の最も高い再生装置に、前記再生コンテンツのデータの送信を行なうことを特徴とする請求項１から６までのいずれか１項に記載の携帯端末。
【請求項８】
前記データ送信制御手段は、前記適合装置特定手段によって特定された再生装置に対して複数の通信方式が存在している場合に、該複数の通信方式のうち、予め定められた優先順位の最も高い通信方式で、前記再生コンテンツのデータの送信を行なうことを特徴とする請求項１から７までのいずれか１項に記載の携帯端末。
【請求項９】
前記再生コンテンツが、音の再生に使用される音コンテンツ及び画像の再生に使用される画像コンテンツを含んでおり、前記適合装置特定手段によって複数の再生装置が特定された場合において、
前記データ送信制御手段は、前記複数の再生装置のうち、前記音コンテンツの再生が可能な再生装置には前記音コンテンツのデータの送信を行い、かつ前記画像コンテンツの再生が可能な再生装置には前記画像コンテンツのデータの送信を行なうことを特徴とする請求項１から８までのいずれか１項に記載された携帯端末。
【請求項１０】
前記データ送信制御手段は、前記再生コンテンツのデータを送信する場合に、前記再生コンテンツの再生位置を示す情報をさらに送信することを特徴とする請求項１から９までに記載の携帯端末。
【請求項１１】
前記再生コンテンツが記録される記録部と、
該記録部への前記再生コンテンツの記録及び前記記録部に記録されている前記再生コンテンツの消去の管理を行なう記録管理手段とを備え、
前記記録管理手段は、前記データ送信制御手段が前記再生コンテンツのデータの送信を完了した場合に、前記記録部に記録されている該再生コンテンツのデータを消去することを特徴とする請求項１に記載の携帯端末。
【請求項１２】
前記データ送信制御手段によって送信された再生コンテンツの送信先の再生装置に、該再生コンテンツの返還を指示するための返還指示手段を備え、
前記適合装置特定手段は、前記返還指示手段を介して、ユーザーによる前記再生コンテンツの返還指示を受けた場合に、前記データ送信制御手段に、前記再生コンテンツの返還を指示する返還指示信号を送信させることを特徴とする請求項１１に記載の携帯端末。
【請求項１３】
前記データ送信制御手段は、前記再生コンテンツのデータを送信する場合に、前記再生コンテンツの再生位置を示す情報をさらに送信することを特徴とする請求項１１又は１２に記載の携帯端末。
【請求項１４】
コンテンツの再生が可能な再生装置であって、
請求項１から１０までのいずれか１項に記載の携帯端末から送信される前記再生コンテンツのデータの受信を行なう通信制御手段を備え、
前記通信制御手段によってデータが受信された、前記再生コンテンツの再生を行なう装置再生制御手段を備えることを特徴とする再生装置。
【請求項１５】
コンテンツの再生が可能な再生装置であって、
請求項１０に記載の携帯端末から送信される前記再生コンテンツのデータの受信を行なう通信制御手段を備え、
前記通信制御手段によってデータが受信された、前記再生コンテンツの再生を、前記再生位置を示す情報から決定した再生開始位置から行なう装置再生制御手段を備えることを特徴とする再生装置。
【請求項１６】
コンテンツの再生が可能な再生装置であって、
請求項１１、１２又は１３に記載の携帯端末との間で、前記再生コンテンツのデータの送受信を行なう通信制御手段と、
前記通信制御手段によって受信された、前記再生コンテンツの再生を行なう装置再生制御手段と、
前記通信制御手段によって受信された、前記再生コンテンツが記録される記録部と、
前記通信制御手段が前記再生コンテンツのデータの送信を完了した場合に、前記記録部に記録されている該再生コンテンツのデータを消去するコンテンツ管理手段とを備えることを特徴とする再生装置。
【請求項１７】
前記コンテンツ管理手段は、前記携帯端末より受信した再生コンテンツのデータの返還を指示する返還指示信号を受信した場合に、前記通信制御手段に該再生コンテンツのデータを送信させることを特徴とする請求項１６に記載の再生装置。
【請求項１８】
コンテンツの再生が可能な再生装置であって、
請求項１５に記載の携帯端末との間で、前記再生コンテンツのデータの送受信を行なう通信制御手段と、
前記通信制御手段によって受信された、前記再生コンテンツの再生を、前記再生位置を示す情報から決定した再生開始位置から行なう装置再生制御手段と、
前記通信制御手段によって受信された、前記再生コンテンツが記録される記録部と、
前記通信制御手段が前記再生コンテンツのデータの送信を完了した場合に、前記記録部に記録されている該再生コンテンツのデータを消去するコンテンツ管理手段とを備えることを特徴とする再生装置。
【請求項１９】
請求項１から１０までのいずれか１項に記載の携帯端末と、請求項１４又は１５に記載の再生装置とを備えるコンテンツ再生システム。
【請求項２０】
請求項１１、１２又は１３に記載の携帯端末と、請求項１６、１７又は１８に記載の再生装置とを備えるコンテンツ再生システム。
【請求項２１】
請求項１から請求項１３までのいずれか１項に記載の携帯端末における各手段としてコンピュータを動作させるためのコンテンツ再生プログラム。
【請求項２２】
請求項２１に記載のコンテンツ再生プログラムを記録したコンピュータ読み取り可能な記録媒体。
【請求項２３】
コンテンツの再生が可能な携帯端末の制御方法であって、
コンテンツの再生を行なう端末再生制御ステップと、
所定領域内に存在する１つ以上の通信可能な再生装置を特定する領域内装置特定ステップと、
前記端末再生制御ステップで再生が行なわれている再生コンテンツに関する規約であるコンテンツプロトコルに適合する再生装置を、前記領域内装置特定ステップで特定された再生装置から特定する適合装置特定ステップと、
前記適合装置特定ステップで特定された再生装置に、前記再生コンテンツのデータを送信するデータ送信制御ステップとを含むことを特徴とする携帯端末の制御方法。
【発明の詳細な説明】
【技術分野】
【０００１】
本発明は、コンテンツの再生が可能な携帯端末などに関し、より詳細には、携帯電話などの携帯端末で再生中のコンテンツを、近くにいるＡＶ（audio and visual）機器などの再生装置にて利用可能にすることで、該ＡＶ機器などの再生装置での該コンテンツの継続視聴を楽しむことができる携帯端末などに関するものである。
【背景技術】
【０００２】
近年、ＨＤＤ（hard disk disc drive）などの大容量の記憶媒体を内蔵し、該記憶媒体に、音声・動画などのコンテンツを記憶させて、高画質・高音質で再生可能な携帯型のコンテンツ再生端末が普及しつつある。
【０００３】
このような携帯型のコンテンツ再生端末により、ユーザーは宅外においても家庭内のＡＶ機器を用いる場合と同様にコンテンツを楽しむ事が可能である。しかし、外出時に携帯型のコンテンツ再生端末においてコンテンツの視聴を行っていた場合において、帰宅時に該コンテンツの続きを家庭内ＡＶ機器において継続的に視聴するためには、家庭内ＡＶ機器においてユーザー自らが、コンテンツ及びその再生位置などを指定し直す必要があるという問題点がある。
【０００４】
例えば、宅外にて携帯プレーヤーで音楽を聴きながら家に帰宅した場合には、聴いていた音楽の続きを部屋にあるステレオで聴く場合、一端携帯プレーヤーを止め、該音楽が保存されている記録媒体等をステレオなどに移し、改めて楽曲又は再生位置を指定して再生するという面倒な作業を行わなければならないという問題点がある。
【０００５】
このような、問題点を解決する従来技術の一例として視聴継続制御サーバ、切替え元端末及び切替え先端末を使用した視聴継続方法が、特許文献１に開示されている。
【０００６】
この視聴継続方法では、視聴継続制御サーバは、端末の切替えに際して、例えば、切替え先端末からのアクセスにより、プレゼンスサーバから端末情報を取得するようになっている。また、視聴継続制御サーバは、ユーザー所有端末一覧を切り替え先端末に表示し、ユーザーが切替え元端末として例えばＴＶ端末を選択すると、視聴履歴管理サーバに該ＴＶ端末で視聴していたコンテンツの識別子と中断点を問合せるようになっている。
【０００７】
さらに、視聴継続制御サーバは、該コンテンツ識別子と切替え先の端末情報とをもとに、ロケーション解決サーバから適合するコンテンツのロケーションを検索し、該ロケーションと中断点とを切替え先端末に送るようになっている。また、切り替え先端末は、送られたロケーションでコンテンツサーバにアクセスしてストリーム映像を受信し、中断点から再生することが可能となっている。
【０００８】
以上の視聴継続方法によれば、例えば、自宅のテレビ端末で見ていた放送番組を外出時にＰＤＡ（personal digital assistance）等で継続視聴することが可能となる。また、外出中にＰＤＡ等で見ていた番組をホットスポットに設置されたパソコン（パーソナル・コンピュータ）等で継続視聴することが可能となる。
【０００９】
例えば、テレビ端末からＰＤＡに切替えたい場合、ユーザーは切替え元のテレビ端末を選択し、切替えボタンを押すだけで、ＰＤＡ画面上で、テレビ端末で見ていたテレビ番組の映像の続きを自動的に再生させることができる。
【００１０】
さらに、ＰＤＡで映像を見ながらホットスポットに入ると、ネットワークがそれを認識してＰＤＡ画面上にホットスポット入室を表示し、店内にあるパソコンで映像を再生可能な端末群を表示するので、ユーザーは切替えたいパソコンを選択して切替えボタンを押せば、パソコンの画面上に映像の続きを再生させることができる。
【００１１】
また、特許文献２には、同従来技術の他の例として、携帯端末、コンテンツサーバ、及びコンテンツ再生端末から構成されるコンテンツ継続視聴システムが開示されている。
【００１２】
このコンテンツ継続視聴システムでは、まず、視聴した特定のコンテンツの識別情報と再生位置とを携帯端末で保持するようになっている。つぎに、ユーザーから継続再生要求を受けた場合、携帯端末は、コンテンツサーバにおける特定のコンテンツの蓄積場所を求めるようになっており、この蓄積場所の情報と継続再生指示とをコンテンツ再生端末に対して行うようになっている。これにより、コンテンツ再生端末は、コンテンツサーバの蓄積場所より特定のコンテンツを読み出して継続再生を行うことができるようになっている。
【００１３】
以上のコンテンツ継続視聴システムによれば、視聴した特定のコンテンツの識別情報と再生位置とを携帯端末で保持し、継続再生を行う場合は、携帯端末からコンテンツ再生端末に対して、コンテンツサーバにおける特定のコンテンツの蓄積場所を通知し、コンテンツ再生端末は、この指示に基づいてコンテンツサーバの蓄積場所より特定のコンテンツを読み出して継続再生するようになっているので、携帯端末から他のコンテンツ再生機器への特定のコンテンツの継続視聴が可能となっている。
【特許文献１】特開２００４−３３６３１０（平成１６年１１月２５日公開）
【特許文献２】特願２００７−  ７４５２９（平成１９年  ３月２２日公開）
【発明の開示】
【発明が解決しようとする課題】
【００１４】
しかしながら、前記特許文献１に開示された視聴継続方法、及び特許文献２に開示されたコンテンツ継続視聴システムのいずれも、コンテンツサーバの存在が必須の構成となっている。そうすると、コンテンツの視聴継続を行なうには、コンテンツサーバに該コンテンツのデータを蓄積・保存しておく必要がある。
【００１５】
よって、前記従来の視聴継続方法及びコンテンツ視聴継続システムでは、コンテンツ再生端末及び再生装置などの他にコンテンツサーバを用意する必要があるため、コンテンツの視聴継続を行なうためのシステムは、大掛かりなものとなり、気軽にコンテンツの視聴継続を楽しむことができないという問題点がある。
【００１６】
本発明は、前記従来の問題点に鑑みなされたものであって、その目的は、コンテンツサーバなどの大掛かりな装置を必要とすることなく、気軽に視聴継続を楽しむことができる携帯端末などを提供することにある。
【課題を解決するための手段】
【００１７】
本発明の携帯端末は、前記課題を解決するために、コンテンツの再生が可能なコンテンツ再生端末であって、コンテンツの再生を行なう端末再生制御手段と、所定領域内に存在する１つ以上の通信可能な再生装置を特定する領域内装置特定手段と、前記端末再生制御手段によって再生が行なわれている再生コンテンツに関する規約であるコンテンツプロトコルに適合する再生装置を、前記領域内装置特定手段によって特定された再生装置から特定する適合装置特定手段と、前記適合装置特定手段によって特定された再生装置に、前記再生コンテンツのデータを送信するデータ送信制御手段とを備えることを特徴としている。
【００１８】
また、本発明の携帯端末の制御方法は、前記課題を解決するために、コンテンツの再生が可能な携帯端末の制御方法であって、コンテンツの再生を行なう端末再生制御ステップと、所定領域内に存在する１つ以上の通信可能な再生装置を特定する領域内装置特定ステップと、前記端末再生制御ステップで再生が行なわれている再生コンテンツに関する規約であるコンテンツプロトコルに適合する再生装置を、前記領域内装置特定ステップで特定された再生装置から特定する適合装置特定ステップと、前記適合装置特定ステップで特定された再生装置に、前記再生コンテンツのデータを送信するデータ送信制御ステップとを含むことを特徴としている。
【００１９】
ここで、「携帯端末」とは、少なくとも１つ以上の通信機能をもつ携帯端末（通信機能：ＣＤＭＡ（Code Division Multiple Access）など既存のキャリア網以外でも良い）の意義であり、携帯電話サイズの通信機能付きＰＣ（パーソナル・コンピュータ）、例えば、ＩＰ通信しか出来ない携帯ＰＣなども含まれる概念である。さらに、通信機能付きＡＶ機器（ナビシステム等含む）なども包含する概念である。
【００２０】
前記構成及び方法においては、携帯端末は、コンテンツを再生することができるようになっている。ここで、「コンテンツ」は、画像、動画、音楽、音声データ、及びメール等のテキストデータ、ＷＥＢページに掲載されているデータ、写真やカメラ立ち上げ時のファインダ画面、並びに、ワンセグ、３セグ、及び地デジなどの放送コンテンツなど、ソフトウエアの処理対象となるさまざまな情報を含む概念である。
【００２１】
また、「再生」は、画像、写真、カメラ立ち上げ時のファインダ画面、メールテキスト、及びＷＥＢページなどの「表示」、並びに、動画、音楽、及び音声などの「再生」を含む広い概念である。
【００２２】
本発明の携帯端末は、端末再生制御手段と、領域内装置特定手段と、適合装置特定手段と、データ送信制御手段とを備えるものである。
【００２３】
また、本発明の携帯端末の制御方法は、端末再生制御ステップと、領域内装置特定ステップと、適合装置特定ステップと、データ送信制御ステップとを含む方法である。
【００２４】
端末再生制御手段又は端末再生制御ステップでは、コンテンツの再生を行なう。つぎに、領域内装置特定手段又は領域内装置特定ステップでは、所定領域内に存在する１つ以上の通信可能な再生装置を特定する。
【００２５】
ここで、再生装置の「特定」は、Ｂｌｕｅｔｏｏｔｈ（登録商標）、Ｆｅｌｉｃａなどの無線通信による再生装置の直接検出などの物理的装置による検出、並びにＧＰＳ（global positioning system）、フェムト通信などの基地局からの情報及びＰＬＣ（power line communication）などにより携帯端末の絶対位置を特定し、参照テーブル（絶対位置と所定領域との関係を示す情報及び所定領域と再生装置との関係を示す情報）を用いた情報処理による検索などによる特定を広く含む概念である。
【００２６】
つぎに、適合装置特定手段又は適合装置特定ステップでは、前記端末再生制御手段によって又は端末再生制御ステップで再生が行なわれている再生コンテンツに関する規約であるコンテンツプロトコルに適合する再生装置を、前記領域内装置特定手段によって又は前記領域内装置特定ステップで特定された再生装置から特定する。
【００２７】
ここで、「コンテンツプロトコル」とは、再生方法、データ形式、データ圧縮方式及び通信プロトコルなどのコンテンツに関する規約のことである。例えば、再生方法の規約としては、ビットレート情報の規格などが例示できる。
【００２８】
また、コンテンツのデータ形式及びデータ圧縮方式の規約としては、音楽に関するＡＡＣ（Advanced Audio Coding）、ＷＡＶ（Ｗｉｎｄｏｗｓ(登録商標）の音声データの標準的なファイル形式。ＷＡＶＥファイルやＷＡＶＥサウンドファイルとも呼ばれる。）、及びＭＰ３（MPEG-1 Audio Layer 3）などが例示できる。
【００２９】
また、その他、動画コンテンツのデータ形式及びデータ圧縮方式の規約としては、映像に関するＦｌａｓｈ（マクロメディアが販売しているＷｅｂ用のアニメーション作成ソフト）、ＭＰ４（MPEG-1 Audio Layer 4）、及びＭＰＥＧ２（ＩＴＵ−Ｔ「国際電気通信連合電気通信標準化部門」とＩＳＯ「国際標準規格」によって標準技術として勧告された、動画や音声を圧縮・伸張する規格。現在ＭＰＥＧ方式には、ビデオＣＤなどのメディアに使用されるＭＰＥＧ１、ＤＶＤや放送メディアに使用されるＭＰＥＧ２、ネットワーク配信、携帯端末向けのＭＰＥＧ４などがある。）などが例示できる。
【００３０】
さらに、通信方式に関する規約（通信プロトコル）としては、Ｂｌｕｅｔｏｏｔｈ、Ｆｅｌｉｃａ、ＰＬＣ、ＷｉｒｅｌｅｓｓＬＡＮ（無線ＬＡＮ：ＷＬＡＮ）、ＩｒＤＡ（赤外線無線）、ＩｒＳＳ（赤外線無線）、及びＷＣＤＭＡ（通信網）などが例示できる。
【００３１】
また、前記データ送信制御手段又はデータ送信制御ステップでは、適合装置特定手段によって、又は前記適合装置特定ステップで特定された再生装置に、前記再生コンテンツのデータを送信する。なおデータ送信制御手段の通信方式としては、ＷＣＤＭＡ（wideband code division multiple access）・フェムト通信、ＰＬＣ、無線ＬＡＮ、Ｂｌｕｅｔｏｏｔｈ、Ｆｅｌｉｃａ、ＩｒＤＡ、及びＩｒＳＳなどが例示できる。
【００３２】
以上の構成又は方法によれば、携帯端末自身（以下「自端末」という）が、所定領域内に存在し、かつ再生コンテンツのコンテンツプロトコルに適合する再生装置を特定し、該特定した再生装置に、前記再生コンテンツのデータを送信するようになっている。したがって、再生コンテンツを保存・蓄積しておくための自端末以外の特別のコンテンツサーバを用意する必要がない。
【００３３】
それゆえ、コンテンツサーバなどの大掛かりな装置を必要とすることなく、携帯端末と再生装置との間で気軽に視聴継続を楽しむことができる。
【００３４】
ここで、上述のように、前記従来の視聴継続方法及びコンテンツ視聴継続システムでは、コンテンツ再生端末に保存されているコンテンツのデータの他に、該コンテンツに対応する別のデータがコンテンツサーバに保存・蓄積されている必要がある。
【００３５】
そうすると、コンテンツ再生端末及びコンテンツサーバの少なくとも２つ以上の装置にてコンテンツを保存しておく必要があるため、視聴継続のためには、１つのコンテンツのデータを複製しておく必要がある。
【００３６】
よって、前記従来の視聴継続方法及びコンテンツ視聴継続システムでは、著作権等侵害を防止するためにデジタル権利管理技術（ＤＲＭ：digital rights management）が施され、複製が禁止されているコンテンツの場合には、同コンテンツを２つ以上入手しない限り、同コンテンツの視聴継続を行なうことができないという問題点（以下、単に「ＤＲＭ問題」という）がある。例えば、ＳＤ−Ａｕｄｉｏ（satellite digital audio broadcast）など著作権情報のある音楽・映像などのデータは複製は許されておらず、移動だけが対応可能となっている。
【００３７】
このようなＤＲＭ問題を解決するために、本発明の携帯端末は、前記構成に加えて、前記データ送信制御手段は、前記再生コンテンツのデータの送信を、送信先の再生装置における該再生コンテンツの記録が不能な状態で行なうことが好ましい。
【００３８】
前記構成によれば、前記データ送信制御手段は、前記再生コンテンツのデータの送信を、送信先の再生装置における該再生コンテンツの記録が不能な状態で行なう。すなわち、再生コンテンツのデータは、自端末に残し（保存し）たままで、再生コンテンツのデータの送信を行い、かつ、再生装置では、該再生コンテンツの記録が不能な状態となっている。
【００３９】
よって、再生コンテンツが保存されている装置は自端末の１台のみである。すなわち、再生コンテンツは、複製されていない。以上より、著作権等侵害を防止するためにデジタル権利管理技術が施され、複製が禁止されているコンテンツの場合でも、気軽に視聴継続を楽しむことができる。
【００４０】
また、本発明の携帯端末は、前記構成に加えて、自端末の所定範囲外への移動を検出する端末移動検出手段を備えており、前記データ送信制御手段は、前記所定領域内に存在する１つ以上の通信可能な再生装置に対して前記再生コンテンツのデータを送信している場合において、前記端末移動検出手段により前記所定範囲外へ移動したと検出された場合に、前記再生装置に対する前記再生コンテンツのデータの送信を中止することが好ましい。
【００４１】
前記構成によれば、端末移動検出手段は、自端末の所定範囲外への移動を検出する。ここで、「所定範囲」は、前記「所定領域」と一致させても良いし、一致してなくても良い。例えば、自端末の領域内装置特定手段による再生装置の特定が、Ｂｌｕｅｔｏｏｔｈ（登録商標）、Ｆｅｌｉｃａ、などの無線通信による直接検出などの物理的装置による検出によって行われる場合には、前記「所定領域」は、自端末が再生装置と無線通信可能な範囲となる。このような範囲は、例えば、再生装置が自身の存在を無線通信によって自端末に報知するような場合には、該無線通信の電波強度などによりあらかじめ決定しておくことができる。
【００４２】
しかし、この場合、自端末が無線通信可能な範囲は、自端末の位置を中心としておおよそ球対称な範囲となるので、自端末が該範囲外へ移動することはできない。よって、この場合には、「所定範囲」は、「所定領域」とは一致し得ない概念となる。
なお、「球対称な範囲」は、２次元であれば円状、３次元であれば球状の範囲のことである。
【００４３】
すなわち、このような場合には、例えば、固定的（予め所定の基準位置を原点とする座標などが定められている。）な領域を「所定範囲」とし、「所定範囲」を示す情報をあらかじめ自端末にて記憶させておく。
【００４４】
それから、ＧＰＳ、フェムト通信などの基地局からの情報などにより自端末の「絶対位置」を特定し、あらかじめ自端末にて記憶している参照テーブル（絶対位置と「所定範囲」との関係を示す情報）などを用いたコンピュータによる情報処理により、該「絶対位置」が、前記「所定範囲」外の位置となった場合に、端末移動検出手段が、自端末の所定範囲外への移動を検出するというような構成を採用すれば良い。
【００４５】
一方、自端末の領域内装置特定手段による再生装置の特定が、ＧＰＳ、フェムト通信などの基地局からの情報及びＰＬＣなどにより自端末の絶対位置を特定し、参照テーブル（絶対位置と「所定領域」との関係を示す情報）などを用いたコンピュータによる情報処理による特定である場合には、「所定範囲」は、前記「所定領域」と一致しても良いことになる。
【００４６】
なお、ＰＬＣによる場合には、例えば、特定のコンセントや、携帯電話の充電用の卓上ホルダーなどが存在している部屋を固定的な「所定領域」（又は「所定範囲」）として参照テーブルを作成しておけば良い。
【００４７】
また、前記構成によれば、前記データ送信制御手段は、前記所定領域内に存在する１つ以上の通信可能な再生装置に対して前記再生コンテンツのデータを送信している場合において、前記端末移動検出手段により前記所定範囲外へ移動したと検出された場合に、前記再生装置に対する前記再生コンテンツのデータの送信を中止するようになっている。
【００４８】
すなわち、前記構成によれば、自端末から再生装置への再生コンテンツのデータの送信を中止しているだけである。よって、自端末及び再生装置での再生を、自端末に「再生コンテンツ」を残したままで、コントロールすることができるので、再生コンテンツを複製する必要がなく、前記ＤＲＭ問題を解決することができる。
【００４９】
また、前記ＤＲＭ問題を解決するために、本発明の携帯端末は、前記構成に加えて、前記再生コンテンツが記録される記録部と、該記録部への前記再生コンテンツの記録及び前記記録部に記録されている前記再生コンテンツの消去の管理を行なう記録管理手段とを備え、前記記録管理手段は、前記データ送信制御手段が前記再生コンテンツのデータの送信を完了した場合に、前記記録部に記録されている該再生コンテンツのデータを消去することが好ましい。
【００５０】
前記構成によれば、再生コンテンツの再生装置への送信を行なう前は、再生コンテンツは、自端末の記録部に記録されている。しかし、前記記録管理手段は、前記データ送信制御手段が前記再生コンテンツのデータの送信を完了した場合に、前記記録部に記録されている該再生コンテンツのデータを消去するようになっている。
【００５１】
すなわち、前記再生コンテンツのデータの送信を完了した場合には、自端末の再生コンテンツのデータを消去するので、その後、再生装置に再生コンテンツが記録されても、再生コンテンツの複製を行なったことにならない。よって、前記構成によっても、前記ＤＲＭ問題を解決することができる。
【００５２】
また、本発明の携帯端末は、前記構成に加えて、前記データ送信制御手段によって送信された再生コンテンツの送信先の再生装置に、該再生コンテンツの返還を指示するための返還指示手段を備え、前記適合装置特定手段は、前記返還指示手段を介して、ユーザーによる前記再生コンテンツの返還指示を受けた場合に、前記データ送信制御手段に、前記再生コンテンツの返還を指示する返還指示信号を送信させることが好ましい。
【００５３】
前記構成によれば、前記データ送信制御手段によって送信された再生コンテンツの送信先の再生装置に、該再生コンテンツの返還を指示するための返還指示手段を備えるものである。なお、「返還」とは、送信先の再生装置が携帯端末に再生コンテンツを送り返した上で、該再生コンテンツのデータを消去することを意味する。
【００５４】
それゆえ、ユーザーは、返還指示手段を介して再生コンテンツの送信先の再生装置に対して該再生コンテンツの返還を指示することができる。
【００５５】
また、前記適合装置特定手段は、前記返還指示手段を介して、ユーザーによる前記再生コンテンツの返還指示を受けた場合に、前記データ送信制御手段に、前記再生コンテンツの返還を指示する返還指示信号を送信させるものである。
【００５６】
それゆえ、携帯端末は、ユーザーによる返還指示を受けて、再生コンテンツの送信先の再生装置から、該再生コンテンツの返還を受けることができる。
【００５７】
以上より、コンテンツサーバという特別の装置を用いることなく携帯端末と、再生装置との間で、再生コンテンツの受け渡しを行うことが可能となる。
【００５８】
また、本発明の携帯端末は、前記構成に加えて、前記端末再生制御手段は、前記領域内装置特定手段によって特定された再生装置の中に、前記コンテンツプロトコルに適合する再生装置が存在しない場合には、前記再生コンテンツの再生を自端末において引き続き行なうことが好ましい。
【００５９】
前記構成によれば、前記領域内装置特定手段によって特定された再生装置の中に、前記コンテンツプロトコルに適合する再生装置が存在しない場合には、前記再生コンテンツの再生を自端末において引き続き行なうようになっている。
【００６０】
よって、視聴中の再生コンテンツが、再生中止となってしまうことがないので、引き続き再生コンテンツの視聴を楽しむことができる。
【００６１】
また、本発明の携帯端末は、前記構成に加えて、前記適合装置特定手段は、前記再生装置と、前記コンテンツプロトコルとの適合関係を示す適合関係情報に基づいて、前記再生コンテンツのコンテンツプロトコルに適合する再生装置を特定することが好ましい。
【００６２】
ここで、「適合関係情報」の例としては、再生コンテンツの再生方法に関する規約と再生装置との適合関係、再生コンテンツのデータ形式に関する再生装置との適合関係、再生コンテンツのデータ圧縮方式に関する再生装置との適合関係、及び自端末と再生装置との通信プロトコルに関する適合関係などが考えられる。なお、これらのうちどのような適合関係を「適合関係情報」として採用するか否かは、再生コンテンツの継続視聴が可能となる範囲で適宜決定すれば良い。
【００６３】
また、本発明の携帯端末は、前記構成に加えて、前記適合装置特定手段によって特定された１つ以上の再生装置の候補の表示を行なう表示部と、該表示部に表示された再生装置の候補から再生装置をユーザーが選択するための装置選択手段とを備え、前記データ送信制御手段は、前記装置選択手段を介してユーザーによって選択された再生装置に、前記再生コンテンツのデータの送信を行なうことが好ましい。
【００６４】
前記構成によれば、表示部が、前記適合装置特定手段によって特定された１つ以上の再生装置の候補の表示を行なうので、ユーザーは、再生装置の候補を知ることができる。
【００６５】
また、装置選択手段は、該表示部に表示された再生装置の候補から再生装置をユーザーが選択することができるようにするためのものであり、前記データ送信制御手段は、前記装置選択手段を介してユーザーによって選択された再生装置に、前記再生コンテンツのデータの送信を行なうようになっている。
【００６６】
それゆえ、ユーザーは、表示部に表示された１つ以上の再生装置の候補の中から、所望の再生装置を選択して、再生コンテンツの継続視聴を楽しむことができる。
【００６７】
また、本発明の携帯端末は、前記構成に加えて、前記データ送信制御手段は、前記適合装置特定手段によって特定された複数の再生装置が存在している場合に、該複数の再生装置のうち、予め定められた優先順位の最も高い再生装置に、前記再生コンテンツのデータの送信を行なうことが好ましい。
【００６８】
前記構成によれば、前記データ送信制御手段は、複数の再生装置のうち、予め定められた優先順位の最も高い再生装置に、前記再生コンテンツのデータの送信を行なうようになっている。
【００６９】
それゆえ、特定の再生コンテンツの継続視聴を行なうのに、ユーザーが予め再生装置の優先順位を定めておくことができるので、ユーザーが所望するより良い環境下での再生コンテンツの継続視聴を楽しむことができる。
【００７０】
また、本発明の携帯端末は、前記構成に加えて、前記データ送信制御手段は、前記適合装置特定手段によって特定された再生装置に対して複数の通信方式が存在している場合に、該複数の通信方式のうち、予め定められた優先順位の最も高い通信方式で、前記再生コンテンツのデータの送信を行なうことが好ましい。
【００７１】
前記構成によれば、前記データ送信制御手段は、複数の通信方式のうち、予め定められた優先順位の最も高い通信方式で、前記再生コンテンツのデータの送信を行なうようになっている。
【００７２】
それゆえ、特定の再生コンテンツの継続視聴を行なうのに、ユーザーが予め通信方式の優先順位を定めておくことができるので、ユーザーが所望するより良い通信状態での再生コンテンツの継続視聴を楽しむことができる。
【００７３】
なお、優先順位の基準としては、以上の他、再生装置の表示画面の大きさ、音質・画質などの性能の順、自端末に近い再生装置の順、以前に使った再生装置や再生装置の選択回数など、及び再生装置との接続状況（再生装置の電源や電池残量、再生装置との通信状態）なども考えられる。
【００７４】
なお、以上では、優先順位が最も高い再生装置、優先順位が最も高い通信方式の再生装置に再生コンテンツを送信する場合を示したが、優先順位の高いものから順に再生コンテンツの送信を行うことも考えられる。例えば、携帯端末と通信装置との接続状況などにより、最も優先順位の高い再生装置に対して再生コンテンツの送信が不可能である場合に、つぎに優先順位の高い再生装置に対して再生コンテンツを送信するようにデータ送信制御手段を構成しても良い。
【００７５】
また、本発明の携帯端末は、前記構成に加えて、前記再生コンテンツが、音の再生に使用される音コンテンツ及び画像の再生に使用される画像コンテンツを含んでおり、前記適合装置特定手段によって複数の再生装置が特定された場合において、前記データ送信制御手段は、前記複数の再生装置のうち、前記音コンテンツの再生が可能な再生装置には前記音コンテンツのデータの送信を行い、かつ前記画像コンテンツの再生が可能な再生装置には前記画像コンテンツのデータの送信を行なうことが好ましい。
【００７６】
前記構成によれば、前記再生コンテンツが、音の再生に使用される音コンテンツ及び画像の再生に使用される画像コンテンツを含んでいる場合、前記データ送信制御手段は、複数の再生装置のうち、前記音コンテンツの再生が可能な再生装置には前記音コンテンツのデータの送信を行い、かつ前記画像コンテンツの再生が可能な再生装置には前記画像コンテンツのデータの送信を行なうようになっている。
【００７７】
それゆえ、例えば、映画コンテンツの場合、画像は高画質・大画面のディスプレイで、また、音声は高音質・大音量のオーディオ機器での継続視聴が可能となるので、ユーザーが所望するより良い環境下での再生コンテンツの継続視聴を楽しむことができる。
【００７８】
また、本発明の携帯端末は、前記構成に加えて、前記データ送信制御手段は、前記再生コンテンツのデータを送信する場合に、前記再生コンテンツの再生位置を示す情報をさらに送信することが好ましい。
【００７９】
前記構成によれば、再生装置は、前記再生コンテンツの再生位置を示す情報を得ることができる。
【００８０】
また、本発明の再生装置は、前記構成に加えて、コンテンツの再生が可能な再生装置であって、前記携帯端末から送信される前記再生コンテンツのデータの受信を行なう通信制御手段を備え、前記通信制御手段によってデータが受信された、前記再生コンテンツの再生を行なう装置再生制御手段を備えることが好ましい。
【００８１】
また、本発明の再生装置は、前記構成に加えて、コンテンツの再生が可能な再生装置であって、前記携帯端末から送信される前記再生コンテンツのデータの受信を行なう通信制御手段を備え、前記通信制御手段によってデータが受信された、前記再生コンテンツの再生を、前記再生位置を示す情報から決定した再生開始位置から行なう装置再生制御手段を備えることが好ましい。
【００８２】
前記構成によれば、本発明の再生装置は、前記携帯端末からの再生コンテンツの継続視聴に好適な再生装置を提供することができる。特に、装置再生制御手段は、前記通信制御手段によってデータが受信された、前記再生コンテンツの再生を、前記再生位置を示す情報から決定した再生開始位置から行なうので、再生中の再生コンテンツを中断することなく継続視聴を楽しむことができる。
【００８３】
なお、再生開始位置は、再生位置（又は中断点）を示す情報から決定するが、再生位置と再生開始位置とは、一致している必要はない。例えば、再生開始位置を再生位置より所定時間（又は距離）だけずらせても良い。これにより、オーバーラップ（個々の再生装置につき同時）再生する事ができる。「オーバーラップ再生」とは、携帯端末と再生装置で、所定時間、同時にコンテンツを再生する機能のことである。ここでの「所定時間」とは、全くオーバーラップをしない０秒を含めた数秒程度の時間である。なお、オーバーラップする時間は、携帯端末を再生停止するまでの時間と、再生装置の再生開始以降の時間との重複時間が例示できる。例えば、一般的な折り畳みタイプ（クラムシェル）の端末で、閉じた状態から開くとメイン液晶が表示され一定時間後に表示が消えるようになっている。所定時間はこれと同様、長くても９０秒程度が好ましい。
【００８４】
また、携帯端末の表示部の表示時間に従って、「所定時間」を決定しても良い。以上より、オーバーラップ再生はするが、クラムシェルを閉じたり、表示部の表示が消えた事に連動させてオーバーラップ再生を終了させても良い。
【００８５】
また、本発明の再生装置は、前記構成に加えて、コンテンツの再生が可能な再生装置であって、前記携帯端末との間で、前記再生コンテンツのデータの送受信を行なう通信制御手段と、前記通信制御手段によって受信された、前記再生コンテンツの再生を行なう装置再生制御手段と、前記通信制御手段によって受信された、前記再生コンテンツが記録される記録部と、前記通信制御手段が前記再生コンテンツのデータの送信を完了した場合に、前記記録部に記録されている該再生コンテンツのデータを消去するコンテンツ管理手段とを備えることが好ましい。
【００８６】
また、本発明の再生装置は、前記構成に加えて、コンテンツの再生が可能な再生装置であって、前記携帯端末との間で、前記再生コンテンツのデータの送受信を行なう通信制御手段と、前記通信制御手段によって受信された、前記再生コンテンツの再生を、前記再生位置を示す情報から決定した再生開始位置から行なう装置再生制御手段と、前記通信制御手段によって受信された、前記再生コンテンツが記録される記録部と、前記通信制御手段が前記再生コンテンツのデータの送信を完了した場合に、前記記録部に記録されている該再生コンテンツのデータを消去するコンテンツ管理手段とを備えることが好ましい。
【００８７】
前記構成によれば、コンテンツ管理手段は、前記通信制御手段が前記再生コンテンツのデータの送信を完了した場合に、前記記録部に記録されている該再生コンテンツのデータを消去するようになっている。
【００８８】
よって、前記記録管理手段が、前記データ送信制御手段が前記再生コンテンツのデータの送信を完了した場合に、前記記録部に記録されている該再生コンテンツのデータを消去するようになっている前記携帯端末と組合せて使用することで、前記ＤＲＭ問題を完全に解決して、再生コンテンツの継続視聴を楽しむことができる。特に、装置再生制御手段は、前記通信制御手段によってデータが受信された、前記再生コンテンツの再生を、前記再生位置を示す情報から決定した再生開始位置から行なうので、再生中の再生コンテンツを中断することなく継続視聴を楽しむことができる。
【００８９】
なお、再生開始位置は、再生位置（又は中断点）を示す情報から決定するが、再生位置と再生開始位置とは、一致している必要はない。例えば、再生開始位置を再生位置より所定時間（又は距離）だけずらせても良い。これにより、オーバーラップ（個々の再生装置につき同時）再生する事ができる。「オーバーラップ再生」とは、携帯端末と再生装置で、所定時間、同時にコンテンツを再生する機能のことである。ここでの「所定時間」とは、全くオーバーラップをしない０秒を含めた数秒程度の時間である。なお、オーバーラップする時間は、携帯端末を再生停止するまでの時間と、再生装置の再生開始以降の時間との重複時間が例示できる。例えば、一般的な折り畳みタイプ（クラムシェル）の端末で、閉じた状態から開くとメイン液晶が表示され一定時間後に表示が消えるようになっている。所定時間はこれと同様、長くても９０秒程度が好ましい。
【００９０】
また、携帯端末の表示部の表示時間に従って、「所定時間」を決定しても良い。以上より、オーバーラップ再生はするが、クラムシェルを閉じたり、表示部の表示が消えた事に連動させてオーバーラップ再生を終了させても良い。
【００９１】
また、本発明の再生装置は、前記構成に加えて、前記コンテンツ管理手段は、前記携帯端末より受信した再生コンテンツの返還を指示する返還指示信号を受信した場合に、前記通信制御手段に該再生コンテンツのデータを送信させることが好ましい。
【００９２】
前記構成によれば、前記コンテンツ管理手段は、前記携帯端末より受信した再生コンテンツの返還を指示する返還指示信号を受信した場合に、前記通信制御手段に該再生コンテンツのデータを送信させる。
【００９３】
それゆえ、再生コンテンツを再生装置に送信し、自端末に記録された再生コンテンツを消去する携帯端末に好適な、再生装置を提供することができる。
【００９４】
また、本発明のコンテンツ再生システムは、前記構成に加えて、前記携帯端末と、前記再生装置とを備えることが好ましい。
【００９５】
すなわち、前記携帯端末と前記再生装置とを適宜組合せたコンテンツ再生システムも、本発明の範疇に入る。
【００９６】
なお、前記携帯端末、再生装置、及びコンテンツ再生システムは、コンピュータによって実現してもよく、この場合には、コンピュータを前記各手段として動作させることにより前記携帯端末などをコンピュータにて実現させる前記携帯端末などの制御プログラム、及びコンテンツ再生プログラム、並びにそれを記録したコンピュータ読み取り可能な記録媒体も、本発明の範疇に入る。
【発明の効果】
【００９７】
本発明の携帯端末は、以上のように、コンテンツの再生を行なう端末再生制御手段と、所定領域内に存在する１つ以上の通信可能な再生装置を特定する領域内装置特定手段と、前記端末再生制御手段によって再生が行なわれている再生コンテンツに関する規約であるコンテンツプロトコルに適合する再生装置を、前記領域内装置特定手段によって特定された再生装置から特定する適合装置特定手段と、前記適合装置特定手段によって特定された再生装置に、前記再生コンテンツのデータを送信するデータ送信制御手段とを備えるものである。
【００９８】
また、本発明の携帯端末の制御方法は、以上のように、コンテンツの再生を行なう端末再生制御ステップと、所定領域内に存在する１つ以上の通信可能な再生装置を特定する領域内装置特定ステップと、前記端末再生制御ステップで再生が行なわれている再生コンテンツに関する規約であるコンテンツプロトコルに適合する再生装置を、前記領域内装置特定ステップで特定された再生装置から特定する適合装置特定ステップと、前記適合装置特定ステップで特定された再生装置に、前記再生コンテンツのデータを送信するデータ送信制御ステップとを含む方法である。
【００９９】
それゆえ、コンテンツサーバなどの大掛かりな装置を必要とすることなく、気軽に視聴継続を楽しむことができる携帯端末及びその制御方法を提供するという効果を奏する。
【発明を実施するための最良の形態】
【０１００】
本発明の一実施形態について図１〜図８に基づいて説明すれば、以下の通りである。
【０１０１】
〔１．コンテンツ再生システム３０の構成の概要〕
まず、図１に基づき、本発明の実施形態の一例であるコンテンツ再生システム３０の構成の概要について説明する。図１は、コンテンツ再生システム３０の構成を示すブロック図である。
【０１０２】
コンテンツ再生システム３０は、図１に示すように、携帯端末１、小型ＴＶ（再生装置）２０Ａ、及びステレオ（再生装置）２０Ｂを備えるものである。なお、本例においては、再生装置を２台含む例について説明しているが、１台であっても良いし、３台以上含んでいても良い。
【０１０３】
携帯端末１は、図１に示すように、端末再生制御部（端末再生制御手段）２、端末スピーカ３、端末ディスプレイ（表示部）４、コンテンツプロトコル特定部（適合装置特定手段）５、エリア内装置特定部（領域内装置特定手段）６、位置検出部（領域内装置特定手段）７、装置検出部（領域内装置特定手段）８、適合装置特定部（適合装置特定手段）９、端末送信制御部（データ送信制御手段）１０、移動判定部（端末移動検出手段）１１、端末記録管理部（記録管理手段）１２、入力制御部１３、キースイッチ（装置選択手段、返還指示手段）１４、マイク１５、カメラ１６、記録部１７、及び端末受信制御部１８を備えるものである。
【０１０４】
小型ＴＶ２０Ａは、通信制御部（通信制御手段）２１Ａ、コンテンツ管理部（コンテンツ管理手段）２２Ａ、記録部２３Ａ、再生制御部（装置再生制御手段）２４Ａ、及びディスプレイ２５Ａを備えるものである。
【０１０５】
ステレオ２０Ｂは、通信制御部（通信制御手段）２１Ｂ、コンテンツ管理部（コンテンツ管理手段）２２Ｂ、記録部２３Ｂ、再生制御部（装置再生制御手段）２４Ｂ、スピーカ２５Ｂを備えるものである。
【０１０６】
携帯端末１は、コンテンツを再生することができるようになっている。ここで、「コンテンツ」は、画像、動画、音楽、音声データ、メール等のテキストデータ、ＷＥＢページに掲載されているデータ、写真やカメラ立ち上げ時のファインダ画面、並びに、ワンセグ、３セグ、及び地デジなどの放送コンテンツなど、ソフトウェアの処理対象となるさまざまな情報を含む概念である。
【０１０７】
また、「再生」は、画像、写真、カメラ立ち上げ時のファインダ画面、メールテキスト、及びＷＥＢページなどの「表示」、並びに、動画、音楽、及び音声などの「再生」を含む広い概念である。
【０１０８】
端末再生制御部２は、コンテンツの再生を行なうものであり、端末スピーカ３を制御して音声データを再生させ、又は、端末ディスプレイ４を制御して動画・画像・テキストデータなどを再生又は表示（再生）させるものである。
【０１０９】
コンテンツプロトコル特定部５は、端末再生制御部２によって再生されているコンテンツ（以下、「再生コンテンツ」と呼ぶことがある）に関する規約であるコンテンツプロトコル（以下、単に「コンテンツプロトコル」という）を特定するものである。なお、「コンテンツプロトコル」については、以下で詳細に説明する。
【０１１０】
エリア内装置特定部６は、所定エリア（所定領域）内に存在する１つ以上の通信可能な小型ＴＶ２０Ａ・ステレオ２０Ｂなどを特定（又は検出）するものである。
【０１１１】
なお、ここで、エリア内装置特定部６については、位置検出部７を用いて小型ＴＶ２０Ａ・ステレオ２０Ｂを特定する場合と、装置検出部８を用いて小型ＴＶ２０Ａ・ステレオ２０Ｂを特定する場合との２つの形態があるが、これらの形態については、以下で説明する。
【０１１２】
適合装置特定部９は、端末再生制御部２によって再生が行なわれている再生コンテンツに関する規約であるコンテンツプロトコルに適合する小型ＴＶ２０Ａ又はステレオ２０Ｂを、エリア内装置特定部６によって特定された小型ＴＶ２０Ａ・ステレオ２０Ｂから特定するものである。
【０１１３】
なお、以下では、便宜上の前提として、コンテンツ再生システム３０のユーザーは、再生コンテンツの例として映画コンテンツ（再生コンテンツ）を携帯端末１にて視聴しているものとし、適合装置特定部９により小型ＴＶ２０Ａが、コンテンツプロトコルに適合する再生装置として特定されるものとして説明する。
【０１１４】
端末送信制御部１０は、適合装置特定部９によって特定された小型ＴＶ２０Ａに、映画コンテンツのデータを送信するものである。なお端末送信制御部１０の通信方式としては、ＷＣＤＭＡ・フェムト通信、ＰＬＣ、ＷｉｒｅｌｅｓｓＬＡＮ（無線ＬＡＮ：ＷＬＡＮ）、Ｂｌｕｅｔｏｏｔｈ、Ｆｅｌｉｃａ、ＩｒＤＡ、ＩｒＳＳなどが例示できる。
【０１１５】
移動判定部１１は、携帯端末１の以下で説明する所定レンジ（所定範囲）外への移動を検出するものである。
【０１１６】
端末記録管理部１２は、記録部１７への再生コンテンツの記録及び記録部１７に記録されている再生コンテンツの消去などのコンテンツの管理を行なうものである。
【０１１７】
入力制御部１３は、ユーザーの操作を受けるキースイッチ１４、音声が入力されるマイク１５、及び、画像又は写真を撮りこむためのカメラ１６を制御するものである。
【０１１８】
記録部１７は、携帯端末１において使用される各種データを記録するもの又はあらかじめ記録しておくものである。記録部１７としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１９】
記録部１７に記録されるデータとしては、図１に示すように、コンテンツ移行テーブル（適合関係情報など）、及びコンテンツデータ（再生コンテンツ、映画コンテンツ、音楽コンテンツ、音声コンテンツ、写真コンテンツ、画像コンテンツ、ファインダ画面コンテンツ、メールコンテンツ、及びＷＥＢページコンテンツなど）などが格納される。
【０１２０】
なお、以下では、再生コンテンツが、携帯端末１に残ったまま（携帯端末１の記録部１７に保存されたまま）、再生装置が再生コンテンツのデータの送信を受信して再生コンテンツをそのままストリーム再生する場合のように、見かけ上、再生コンテンツが、携帯端末１から再生装置に移動したように見える場合と、再生コンテンツが、実際に携帯端末１から再生装置に移動する（携帯端末１の記録部１７に記録された再生コンテンツは消去され、再生装置の記録部に保存される）場合とがあるため、これらの場合を総括した概念として、再生コンテンツの「移行」と呼ぶ。
【０１２１】
コンテンツ移行テーブルについては、以下で説明するが、図１に示すように、「位置情報（絶対位置）とエリア情報（所定領域を示す情報）・レンジ情報（所定範囲を示す情報）との関係を示す情報」、「エリア情報（所定領域）と小型ＴＶ２０Ａ・ステレオ２０Ｂなどとの関係を示す情報」、「小型ＴＶ２０Ａ・ステレオ２０Ｂなどと、コンテンツプロトコルとの関係を示す情報」、「小型ＴＶ２０Ａ・ステレオ２０Ｂなどの優先順位を示す情報」、及び「小型ＴＶ２０Ａ・ステレオ２０Ｂの通信方式による優先順位を示す情報」などが含まれている。
【０１２２】
〔２．携帯端末１の構成と主要な構成の動作〕
つぎに、図１に基づき、本発明の実施形態の他の例である携帯端末１の主要な構成の動作について説明する。
【０１２３】
なお、〔２．携帯端末１の構成と主要な構成の動作〕において説明すること以外の構成は、〔１．コンテンツ再生システム３０の構成の概要〕と同じである。また、説明の便宜上、〔１．コンテンツ再生システム３０の構成の概要〕の図面に示した部材と同一の機能を有する部材については、同一の符号を付し、その説明を省略する。
【０１２４】
端末再生制御部２は、コンテンツの再生を行なう。再生コンテンツ（映画コンテンツ、音楽コンテンツ、音声コンテンツ、写真コンテンツ、画像コンテンツ、ファインダ画面コンテンツ、メールコンテンツ、及びＷＥＢページコンテンツなど）は、端末スピーカ３により音声が再生され、端末ディスプレイ４により画像・動画・テキストデータ等が表示される。つぎに、エリア内装置特定部６は、所定エリア内に存在する１つ以上の通信可能な小型ＴＶ２０Ａ・ステレオ２０Ｂなどを特定する。
【０１２５】
ここで、小型ＴＶ２０Ａ・ステレオ２０Ｂなどの「特定」は、Ｂｌｕｅｔｏｏｔｈ（登録商標）、Ｆｅｌｉｃａなどの無線通信による小型ＴＶ２０Ａ・ステレオ２０Ｂなどの直接検出などの物理的装置による検出を行うものとして装置検出部８による特定であっても良い。
【０１２６】
また、ＧＰＳ、フェムト通信などの基地局からの情報及びＰＬＣなどにより携帯端末１の絶対位置を、位置検出部７によって検出（特定）し、コンテンツ移行テーブル（絶対位置と所定エリアとの関係を示す情報及び所定エリアと小型ＴＶ２０Ａ・ステレオ２０Ｂなどとの関係を示す情報）を用いた情報処理による検索などによる特定であっても良い。
【０１２７】
つぎに、適合装置特定部９は、端末再生制御部２によって再生が行なわれている再生コンテンツに関する規約であるコンテンツプロトコルに適合する小型ＴＶ２０Ａを、エリア内装置特定部６によって特定された小型ＴＶ２０Ａ・ステレオ２０Ｂなどから特定する。
【０１２８】
ここで、「コンテンツプロトコル」とは、再生方法、データ形式、データ圧縮方式及び通信プロトコルなどのコンテンツに関する規約のことである。例えば、再生方法の規約としては、ビットレート情報の規格などが例示できる。
【０１２９】
また、コンテンツのデータ形式及びデータ圧縮方式の規約としては、音楽に関するＡＡＣ、ＷＡＶ、及びＭＰ３などが例示できる。
【０１３０】
また、この他、コンテンツのデータ形式及びデータ圧縮方式の規約としては、映像に関するＦｌａｓｈ、ＭＰ４、及びＭＰＥＧ２などが例示できる。
【０１３１】
さらに、通信方式に関する規約（通信プロトコル）としては、Ｂｌｕｅｔｏｏｔｈ、Ｆｅｌｉｃａ、ＰＬＣ、ＷｉｒｅｌｅｓｓＬＡＮ、ＩｒＤＡ、ＩｒＳＳ、及びＷＣＤＭＡなどが例示できる。
【０１３２】
さらに、端末送信制御部１０は、適合装置特定部９によって特定された小型ＴＶ２０Ａに、映画コンテンツ（再生コンテンツ）のデータを送信する。
【０１３３】
以上の構成によれば、携帯端末１自身（以下「自端末」ということがある）が、所定エリア内に存在し、かつ映画コンテンツのコンテンツプロトコルに適合する小型ＴＶ２０Ａを特定し、特定した小型ＴＶ２０Ａに、映画コンテンツのデータを送信するようになっている。したがって、映画コンテンツを保存・蓄積しておくための自端末以外の特別のコンテンツサーバを用意する必要がない。
【０１３４】
それゆえ、コンテンツサーバなどの大掛かりな装置を必要とすることなく、携帯端末１と小型ＴＶ２０Ａとの間で気軽に視聴継続を楽しむことができる。
【０１３５】
つぎに、本例のコンテンツ再生システム３０における別の課題について説明する。上述のように、前記従来の視聴継続方法及びコンテンツ視聴継続システムでは、コンテンツ再生端末に保存されているコンテンツのデータの他に、該コンテンツに対応する別のデータがコンテンツサーバに保存・蓄積されている必要がある。
【０１３６】
そうすると、コンテンツ再生端末及びコンテンツサーバの少なくとも２つ以上の装置にてコンテンツを保存しておく必要があるため、視聴継続のためには、１つのコンテンツのデータを複製しておく必要がある。
【０１３７】
よって、前記従来の視聴継続方法及びコンテンツ視聴継続システムでは、著作権等侵害を防止するためにデジタル権利管理技術（ＤＲＭ：digital rights management）が施され、複製が禁止されているコンテンツの場合には、同コンテンツを２つ以上入手しない限り、同コンテンツの視聴継続を行なうことができないという問題点（以下、単に「ＤＲＭ問題」という）がある。例えば、ＳＤ−Ａｕｄｉｏ（satellite digital audio broadcast）など著作権情報のある音楽・映像などのデータは複製は許されておらず、移動だけが対応可能となっている。
【０１３８】
このようなＤＲＭ問題を解決するために、携帯端末１では、端末送信制御部１０は、前映画コンテンツのデータの送信を、送信先の小型ＴＶ２０Ａにおける該映画コンテンツの記録が不能な状態で行なうことが好ましい。
【０１３９】
前記構成によれば、映画コンテンツのデータは、自端末に残し（保存し）たままで、映画コンテンツのデータの送信を行い、かつ、小型ＴＶ２０Ａでは、該映画コンテンツの記録が不能な状態となっている。よって、映画コンテンツが保存されている装置は自端末の１台のみである。すなわち、映画コンテンツは、複製されていない。よって、著作権等侵害を防止するためにデジタル権利管理技術が施され、複製が禁止されている映画コンテンツの場合でも、気軽に視聴継続を楽しむことができる。
【０１４０】
また、携帯端末１は、自端末の所定レンジ（所定範囲）外への移動を検出する移動判定部１１を備えており、端末送信制御部１０は、所定エリア内に存在する小型ＴＶ２０Ａに対して映画コンテンツのデータを送信している場合において、移動判定部１１により所定レンジ外へ移動したと検出された場合に、小型ＴＶ２０Ａに対する映画コンテンツのデータの送信を中止することが好ましい。
【０１４１】
前記構成によれば、移動判定部１１は、自端末の所定レンジ外への移動を検出する。ここで、「所定レンジ」は、前記「所定エリア」と一致させても良いし、一致していなくても良い。例えば、自端末のエリア内装置特定部６による小型ＴＶ２０Ａ・ステレオ２０Ｂなどの特定が、Ｂｌｕｅｔｏｏｔｈ（登録商標）、Ｆｅｌｉｃａなどの無線通信による直接検出などの物理的装置による検出によって行われる場合には、「所定エリア」は、自端末が小型ＴＶ２０Ａ・ステレオ２０Ｂなどと無線通信可能な範囲となる。このような範囲は、例えば、小型ＴＶ２０Ａ・ステレオ２０Ｂなどが自身の存在を無線通信によって自端末に報知するような場合には、該無線通信の電波強度などによりあらかじめ決定しておくことができる。
【０１４２】
しかし、この場合、自端末が無線通信可能な範囲は、自端末の位置を中心としておおよそ球対称な範囲となるので、自端末が該範囲外へ移動することはできない。よって、この場合には、「所定レンジ」は、「所定エリア」とは一致し得ない概念となる。
【０１４３】
すなわち、このような場合には、例えば、固定的（予め所定の基準位置を原点とする座標などが定められている。）な領域を「所定レンジ」とし、あらかじめ自端末にて記憶させておく。
【０１４４】
それから、ＧＰＳ、フェムト通信などの基地局からの情報などにより自端末の「絶対位置」を特定し、あらかじめ自端末にて記憶しているコンテンツ移行テーブル（参照テーブル：絶対位置と「所定レンジ」との関係を示す情報）などを用いたコンピュータによる情報処理により、「絶対位置」が、「所定レンジ」外の位置となった場合に、移動判定部１１が、自端末の所定レンジ外への移動を検出するというような構成を採用すれば良い。
【０１４５】
一方、自端末のエリア内装置特定部６による小型ＴＶ２０Ａ・ステレオ２０Ｂなどの特定が、ＧＰＳ、フェムト通信などの基地局からの情報及びＰＬＣなどにより自端末の絶対位置を特定し、コンテンツ移行テーブル（参照テーブル：絶対位置と「所定領域」との関係を示す情報）などを用いたコンピュータによる情報処理による特定である場合には、「所定レンジ」は、「所定エリア」と一致しても良いことになる。
【０１４６】
なお、ＰＬＣによる場合には、例えば、特定のコンセントや、携帯電話の充電用の卓上ホルダーなどが存在している部屋を固定的な「所定レンジ」（又は「所定エリア」）としてコンテンツ移行テーブルを作成しておけば良い。
【０１４７】
また、前記構成によれば、端末送信制御部１０は、所定エリア内に存在する通信可能な小型ＴＶ２０Ａに対して映画コンテンツのデータを送信している場合において、移動判定部１１により所定レンジ外へ移動したと検出された場合に、小型ＴＶ２０Ａに対する前記映画コンテンツのデータの送信を中止するようになっている。
【０１４８】
すなわち、前記構成によれば、自端末から小型ＴＶ２０Ａへの映画コンテンツのデータの送信を中止しているだけなので、自端末及び小型ＴＶ２０Ａでの再生を、自端末に「映画コンテンツ」を残したままで、コントロールすることができるので、前記ＤＲＭ問題を解決することができる。また、「映画コンテンツ」が「小型ＴＶ２０Ａ」から自端末に集約（返還）されるという、効果を得ることができる。
【０１４９】
なお、集約（返還）とは、送信先の再生装置が携帯端末に再生コンテンツを送り返した上で、該再生コンテンツのデータを消去することを意味する。
【０１５０】
また、前記ＤＲＭ問題を解決するために、携帯端末１は、映画コンテンツが記録される記録部１７と、記録部１７への映画コンテンツの記録及び記録部１７に記録されている映画コンテンツの消去などのコンテンツの管理を行なう端末記録管理部（記録管理手段）１２とを備え、端末記録管理部１２は、端末送信制御部１０が映画コンテンツのデータの送信を完了した場合に、記録部１７に記録されている映画コンテンツのデータを消去することが好ましい。
【０１５１】
前記構成によれば、映画コンテンツの小型ＴＶ２０Ａへの送信を行なう前は、映画コンテンツは、自端末の記録部１７に記録されている。しかし、端末記録管理部１２は、端末送信制御部１０が映画コンテンツのデータの送信を完了した場合に、記録部１７に記録されている映画コンテンツのデータを消去するようになっている。
【０１５２】
すなわち、映画コンテンツのデータの送信を完了した場合には、自端末の映画コンテンツのデータを消去するので、その後、小型ＴＶ２０Ａに映画コンテンツが記録されても、映画コンテンツの複製を行なったことにならない。よって、前記構成によっても、前記ＤＲＭ問題を解決することができる。
【０１５３】
また、携帯端末１は、端末送信制御部１０によって送信された再生コンテンツの送信先の再生装置に、該再生コンテンツの返還を指示するためのキースイッチ（返還指示手段）１４を備え、適合装置特定部９は、キースイッチ１４を介して、ユーザーによる再生コンテンツの返還指示を受けた場合に、端末送信制御部１０に、該再生コンテンツの返還を指示する返還指示信号を送信させることが好ましい。
【０１５４】
前記構成によれば、端末送信制御部１０によって送信された再生コンテンツの送信先の再生装置に、該再生コンテンツの返還を指示するためのキースイッチ１４を備える。
【０１５５】
それゆえ、ユーザーは、キースイッチ１４を介して再生コンテンツの送信先の再生装置に対して該再生コンテンツの返還を指示することができる。
【０１５６】
また、適合装置特定部９は、キースイッチ１４を介して、ユーザーによる前記再生コンテンツの返還指示を受けた場合に、端末送信制御部１０に、該再生コンテンツの返還を指示する返還指示信号を送信させる。
【０１５７】
それゆえ、携帯端末１は、ユーザーによる返還指示を受けて、再生コンテンツの送信先の再生装置から、該再生コンテンツの返還を受けることができる。
【０１５８】
以上より、コンテンツサーバという特別の装置を用いることなく携帯端末１と、再生装置との間で、再生コンテンツの受け渡しを行うことが可能となる。
【０１５９】
また、携帯端末１は、端末再生制御部２は、エリア内装置特定部６によって特定された小型ＴＶ２０Ａ・ステレオ２０Ｂなどの再生装置の中に、コンテンツプロトコルに適合する再生装置が存在しない場合には、再生コンテンツの再生を自端末において引き続き行なうことが好ましい。
【０１６０】
前記構成によれば、視聴中の映画コンテンツなどの再生コンテンツが、再生中止となってしまうことがないので、引き続き再生コンテンツの視聴を楽しむことができる。
【０１６１】
また、携帯端末１は、適合装置特定部９は、小型ＴＶ２０Ａ・ステレオ２０Ｂなどと、コンテンツプロトコルとの適合関係を示す情報（適合関係情報）を含むコンテンツ移行テーブルに基づいて、再生コンテンツのコンテンツプロトコルに適合する再生装置を特定することが好ましい。
【０１６２】
ここで、「適合関係情報」の例としては、再生コンテンツの再生方法に関する規約と小型ＴＶ２０Ａ・ステレオ２０Ｂなどとの適合関係、再生コンテンツのデータ形式に関する小型ＴＶ２０Ａ・ステレオ２０Ｂなどとの適合関係、再生コンテンツのデータ圧縮方式に関する小型ＴＶ２０Ａ・ステレオ２０Ｂなどとの適合関係、及び自端末と小型ＴＶ２０Ａ・ステレオ２０Ｂなどとの通信プロトコルに関する適合関係などが考えられる。なお、これらのうちどのような適合関係を「適合関係情報」として採用するか否かは、再生コンテンツの継続視聴が可能となる範囲で適宜決定すれば良い。
【０１６３】
また、携帯端末１は、適合装置特定部９によって特定された小型ＴＶ２０Ａ・ステレオ２０Ｂなどの候補の表示を行なう端末ディスプレイ４と、端末ディスプレイ４に表示された小型ＴＶ２０Ａ・ステレオ２０Ｂなどの候補から小型ＴＶ２０Ａをユーザーが選択するためのキースイッチ（装置選択手段）１４とを備え、端末送信制御部１０は、キースイッチ１４を介してユーザーによって選択された小型ＴＶ２０Ａに、映画コンテンツのデータの送信を行なうことが好ましい。
【０１６４】
前記構成によれば、端末ディスプレイ４が、適合装置特定部９によって特定された小型ＴＶ２０Ａ・ステレオ２０Ｂなどの再生装置の候補の表示を行なうので、ユーザーは、小型ＴＶ２０Ａ・ステレオ２０Ｂなどの再生装置の候補を知ることができる。
【０１６５】
また、キースイッチ１４は、端末ディスプレイ４に表示された小型ＴＶ２０Ａ・ステレオ２０Ｂなどの再生装置の候補から小型ＴＶ２０Ａをユーザーが選択することができるようにするためのものであり、端末送信制御部１０は、キースイッチ１４を介してユーザーによって選択された小型ＴＶ２０Ａに、映画コンテンツのデータの送信を行なうようになっている。
【０１６６】
それゆえ、ユーザーは、端末ディスプレイ４に表示された小型ＴＶ２０Ａ・ステレオ２０Ｂなどの再生装置の候補の中から、所望の小型ＴＶ２０Ａを選択して、映画コンテンツの継続視聴を楽しむことができる。
【０１６７】
また、携帯端末１は、端末送信制御部１０は、適合装置特定部９によって特定された小型ＴＶ２０Ａ・ステレオ２０Ｂなどの複数の再生装置が存在している場合に、該複数の再生装置のうち、予め定められた優先順位の最も高い再生装置に、再生コンテンツのデータの送信を行なうことが好ましい。
【０１６８】
前記構成によれば、特定の再生コンテンツの継続視聴を行なうのに、ユーザーが予め再生装置の優先順位を定めておくことができるので、ユーザーが所望するより良い環境下での再生コンテンツの継続視聴を楽しむことができる。
【０１６９】
また、携帯端末１は、端末送信制御部１０は、適合装置特定部９によって特定された小型ＴＶ２０Ａに対してＷＬＡＮ（ＷｉｒｅｌｅｓｓＬＡＮ：無線ＬＡＮ）、ＰＬＣ、及びＩｒＳＳなどの複数の通信方式が存在している場合に、該複数の通信方式のうち、予め定められた優先順位の最も高い通信方式で、映画コンテンツのデータの送信を行なうことが好ましい。
【０１７０】
前記構成によれば、映画コンテンツ（特定の再生コンテンツ）の継続視聴を行なうのに、ユーザーが予め通信方式の優先順位を定めておくことができるので、ユーザーが所望するより良い通信状態での再生コンテンツの継続視聴を楽しむことができる。
【０１７１】
なお、優先順位の基準としては、再生装置の表示画面の大きさ、音質・画質などの性能の順、自分に近い再生装置の順、以前に使った再生装置や再生装置の選択回数など、及び再生装置との接続状況（再生装置の電源や電池残量、再生装置との通信状態）なども考えられる。
【０１７２】
また、ここでは、優先順位が最も高い再生装置、優先順位が最も高い通信方式の再生装置に再生コンテンツを送信する場合を例示したが、優先順位の高いものから順に再生コンテンツの送信を行うことも考えられる。例えば、携帯端末１と小型ＴＶ２０Ａ・ステレオ２０Ｂなどとの接続状況などにより、最も優先順位の高い再生装置に対して再生コンテンツの送信が不可能である場合に、つぎに優先順位の高い再生装置に対して再生コンテンツを送信するように端末送信制御部１０を構成しても良い。
【０１７３】
また、携帯端末１は、映画コンテンツ（再生コンテンツ）が、音声（音）の再生に使用される音声コンテンツ（音コンテンツ）及び画像の再生に使用される画像コンテンツを含んでおり、適合装置特定部９によって大型プロジェクター（再生装置）・小型ＴＶ２０Ａ・ステレオ２０Ｂなどの複数の再生装置が特定された場合において、端末送信制御部１０は、大型プロジェクター・小型ＴＶ２０Ａ・ステレオ２０Ｂなどの複数の再生装置のうち、音声コンテンツの再生が可能なステレオ２０Ｂには音声コンテンツのデータの送信を行い、かつ画像コンテンツの再生が可能な大型プロジェクターには画像コンテンツのデータの送信を行なうことが好ましい。
【０１７４】
前記構成によれば、例えば、映画コンテンツの場合、画像コンテンツ（画像）は、大型プロジェクターの高画質・大画面の映写幕（ディスプレイに相当）で、また、音声コンテンツ（音声）は、高音質・高音量のオーディオ機器での継続視聴が可能となるので、ユーザーが所望するホームシアター設備（より良い環境下）での映画コンテンツの継続視聴を楽しむことができる。
【０１７５】
また、携帯端末１は、端末送信制御部１０は、映画コンテンツのデータを送信する場合に、映画コンテンツの再生位置を示す情報（又は中断点を示す情報）をさらに送信することが好ましい。
【０１７６】
前記構成によれば、小型ＴＶ２０Ａは、映画コンテンツの再生位置（又は中断点を示す情報）を示す情報を得ることができる。
【０１７７】
〔３．再生装置の構成と主要な構成の動作〕
つぎに、図１に基づき、本発明の実施形態のさらに他の例である小型ＴＶ２０Ａ・ステレオ２０Ｂの主要な構成の動作について説明する。
【０１７８】
なお、〔３．再生装置の構成と主要な構成の動作〕において説明すること以外の構成は、〔１．コンテンツ再生システム３０の構成の概要〕及び〔２．携帯端末１の構成と主要な構成の動作〕と同じである。また、説明の便宜上、〔１．コンテンツ再生システム３０の構成の概要〕及び〔２．携帯端末１の構成と主要な構成の動作〕の図面に示した部材と同一の機能を有する部材については、同一の符号を付し、その説明を省略する。また、以下の項目では、同様の説明を省略する。
【０１７９】
小型ＴＶ２０Ａ・ステレオ２０Ｂは、図１に示すように、コンテンツの再生が可能な再生装置であって、携帯端末１から送信される再生コンテンツのデータの受信を行う通信制御部２１Ａ・通信制御部２１Ｂを備えるものである。なお、なお通信制御部２１Ａ・通信制御部２１Ｂの通信方式としては、ＷＣＤＭＡ・フェムト通信、ＰＬＣ、無線ＬＡＮ、Ｂｌｕｅｔｏｏｔｈ、Ｆｅｌｉｃａ、ＩｒＤＡ、及びＩｒＳＳなどが例示できる。
【０１８０】
また、小型ＴＶ２０Ａ・ステレオ２０Ｂは、通信制御部２１Ａ・通信制御部２１Ｂによってデータが受信された、再生コンテンツの再生を行う再生制御部２４Ａ・再生制御部２４Ｂを備えるものである。
【０１８１】
さらに、小型ＴＶ２０Ａの再生制御部２４Ａは、ディスプレイ２５Ａを制御して、画像コンテンツなど（再生コンテンツ）を表示（又は再生）させ、ステレオ２０Ｂの再生制御部２４Ｂは、スピーカ２５Ｂを制御して音声コンテンツなど（音コンテンツ・再生コンテンツ）を再生させるものである。
【０１８２】
なお、小型ＴＶ２０Ａ・ステレオ２０Ｂは、携帯端末１から送信される再生コンテンツのデータの受信を行なう通信制御部（通信制御手段）２１Ａ・通信制御部（通信制御手段）２１Ｂを備えることが好ましい。また、再生制御部２４Ａ・再生制御部２４Ｂは、通信制御部２１Ａ・通信制御部２１Ｂによってデータが受信された、再生コンテンツの再生を、再生位置（又は中断点）を示す情報から決定した再生開始位置から行なうことが好ましい。
【０１８３】
前記構成によれば、小型ＴＶ２０Ａ・ステレオ２０Ｂは、携帯端末１からの再生コンテンツの継続視聴に好適な再生装置を提供することができる。特に、再生制御部２４Ａ・再生制御部２４Ｂは、通信制御部２１Ａ・通信制御部２１Ｂによってデータが受信された、再生コンテンツの再生を、再生位置（又は中断点）を示す情報から決定した再生開始位置から行なうので、再生中の再生コンテンツを中断することなく継続視聴を楽しむことができる。
【０１８４】
なお、再生開始位置は、再生位置（又は中断点）を示す情報から決定するが、再生位置と再生開始位置とは、一致している必要はない。例えば、再生開始位置を再生位置より所定時間（又は距離）だけずらせても良い。これにより、オーバーラップ（個々の再生装置につき同時）再生する事ができる。「オーバーラップ再生」とは、携帯端末１と小型ＴＶ２０Ａ・ステレオ２０Ｂとで、所定時間、同時にコンテンツを再生する機能のことである。ここでの「所定時間」とは、全くオーバーラップをしない０秒を含めた数秒程度の時間である。
【０１８５】
なお、オーバーラップする時間は、携帯端末１を再生停止するまでの時間と、小型ＴＶ２０Ａ・ステレオ２０Ｂの再生開始以降の時間との重複時間が例示できる。例えば、一般的な折り畳みタイプ（クラムシェル）の端末では、閉じた状態から開くとメイン液晶（表示部）が表示され一定時間後に表示が消えるようになっている。所定時間はこれと同様、長くても９０秒程度が好ましい。
【０１８６】
また、携帯端末１の端末ディスプレイ４の表示時間に従って、「所定時間」を決定しても良い。以上より、オーバーラップ再生はするが、クラムシェルを閉じたり、端末ディスプレイ４の表示が消えた事に連動させてオーバーラップ再生を終了させても良い。
【０１８７】
また、小型ＴＶ２０Ａ・ステレオ２０Ｂは、携帯端末１との間で、再生コンテンツのデータの送受信を行なう通信制御部（通信制御手段）２１Ａ・通信制御部（通信制御手段）２１Ｂと、通信制御部２１Ａ・通信制御部２１Ｂによって受信された、再生コンテンツが記録される記録部２３Ａ・記録部２３Ｂと、通信制御部２１Ａ・通信制御部２１Ｂが再生コンテンツのデータの送信を完了した場合に、記録部２３Ａ・記録部２３Ｂに記録されている再生コンテンツのデータを消去するコンテンツ管理部（コンテンツ管理手段）２２Ａ・コンテンツ管理部（コンテンツ管理手段）２２Ｂとを備えることが好ましい。
【０１８８】
なお、再生制御部２４Ａ・再生制御部２４Ｂは、通信制御部２１Ａ・通信制御部２１Ｂによって受信された、再生コンテンツの再生を、再生位置（又は中断点）を示す情報から決定した再生開始位置から行なうことが好ましい。
【０１８９】
前記構成によれば、コンテンツ管理部２２Ａ・コンテンツ管理部２２Ｂは、通信制御部２１Ａ・通信制御部２１Ｂが再生コンテンツのデータの送信を完了した場合に、記録部２３Ａ・記録部２３Ｂに記録されている再生コンテンツのデータを消去するようになっている。
【０１９０】
よって、端末記録管理部１２が、端末送信制御部１０が再生コンテンツのデータの送信を完了した場合に、記録部１７に記録されている再生コンテンツのデータを消去するようになっている携帯端末１と組合せて使用することで、前記ＤＲＭ問題を完全に解決して、再生コンテンツの継続視聴を楽しむことができる。
【０１９１】
特に、再生制御部２４Ａ・再生制御部２４Ｂは、通信制御部２１Ａ・通信制御部２１Ｂによってデータが受信された、再生コンテンツの再生を、再生位置（又は中断点）を示す情報から決定した再生開始位置から行なうので、再生中の再生コンテンツを中断することなく継続視聴を楽しむことができる。
【０１９２】
なお、再生開始位置は、再生位置（又は中断点）を示す情報から決定するが、再生位置と再生開始位置とは、一致している必要はない。例えば、再生開始位置を再生位置より所定時間（又は距離）だけずらせても良い。これにより、オーバーラップ（個々の再生装置につき同時）再生する事ができる。「オーバーラップ再生」とは、携帯端末１と小型ＴＶ２０Ａ・ステレオ２０Ｂとで、所定時間、同時にコンテンツを再生する機能のことである。ここでの「所定時間」とは、全くオーバーラップをしない０秒を含めた数秒程度の時間である。
【０１９３】
なお、オーバーラップする時間は、携帯端末１を再生停止するまでの時間と、小型ＴＶ２０Ａ・ステレオ２０Ｂの再生開始以降の時間との重複時間が例示できる。例えば、一般的な折り畳みタイプ（クラムシェル）の端末では、閉じた状態から開くとメイン液晶（表示部）が表示され一定時間後に表示が消えるようになっている。所定時間はこれと同様、長くても９０秒程度が好ましい。
【０１９４】
また、携帯端末１の端末ディスプレイ４の表示時間に従って、「所定時間」を決定しても良い。以上より、オーバーラップ再生はするが、クラムシェルを閉じたり、端末ディスプレイ４の表示が消えた事に連動させてオーバーラップ再生を終了させても良い。
【０１９５】
また、小型ＴＶ２０Ａ・ステレオ２０Ｂは、コンテンツ管理部２２Ａ・コンテンツ管理部２２Ｂは、携帯端末１より受信した再生コンテンツの返還を指示する返還指示信号を受信した場合に、通信制御部２１Ａ・通信制御部２１Ｂに該再生コンテンツのデータを送信させることが好ましい。
【０１９６】
前記構成によれば、再生コンテンツを小型ＴＶ２０Ａ・ステレオ２０Ｂなどに送信し、自端末に記録された再生コンテンツを消去する携帯端末１に好適な、小型ＴＶ２０Ａ・ステレオ２０Ｂなどを提供することができる。
【０１９７】
〔４．コンテンツ再生システム３０の機能の概要〕
つぎに、図８に基づき、コンテンツ再生システム３０の機能の概要について、簡単に説明する。
【０１９８】
図８には、ユーザーが携帯電話（携帯端末）で音楽コンテンツ（再生コンテンツ）を再生しながら、外出先から、帰宅したときの様子が示されている。
【０１９９】
まず、図８の（ａ）部分に示すように、外出先から自分の部屋（所定エリア）に入ると、部屋毎に決められたコンテンツ移行テーブルに従って、携帯電話のディスプレイ（表示部）に移行可能なデバイス（再生装置）が表示される。ディスプレイには、音楽の移行可能なデバイスとして、ステレオ（再生装置）と、ＴＶ（再生装置）が表示されている。また、優先順位の高いステレオが端末ディスプレイの上の方に表示されている。ここで、自動でコンテンツが移行される場合には例えば、音楽コンテンツが、ステレオに移行される。
【０２００】
つぎに、図８の（ｂ）部分に示すように、自分の部屋からリビング（所定エリア）に移動する際にも、コンテンツ移行テーブルに従って、音楽コンテンツがリビングにあるデバイス（再生装置）に移行される。ここでは、携帯電話の中からコンテンツは移動しないようにしている。
【０２０１】
また、図８の（ｃ）部分に示すように、各部屋にあるデバイスの検出は、フェムト通信、ＰＬＣ、ＧＰＳ、ＬＡＮのグループ、及びＢｌｕｅｔｏｏｔｈによる検出のいずれを用いるかについて事前登録（コンテンツ移行テーブルに含まれる情報としてあらかじめ携帯電話の記録部に記録する）することによって実施可能となっている。
【０２０２】
つぎに、図８の（ｄ）部分に示すように、外出する場合には、携帯電話に再生・表示が集約（返還）される。なお、以下では、音楽コンテンツは携帯電話の記録部に保存されたままで、再生装置に再生されている音楽コンテンツが見かけ上、携帯電話に移動したように見える場合と、実際に、再生装置の記録部に保存されている音楽コンテンツが、携帯電話の記録部に移動して保存される場合（移動）とがあるため、これらの場合を総括する概念として、音楽コンテンツの「集約（返還）」と呼ぶ。なお、「集約（返還）」とは、送信先の再生装置が携帯端末に再生コンテンツを送り返した上で、該再生コンテンツのデータを消去することを意味する。
【０２０３】
〔５．コンテンツ移行テーブルの詳細〕
つぎに、図１〜図３に基づき、コンテンツ再生システム３０（携帯端末１）において使用されるコンテンツ移行テーブル（適合関係情報など）の詳細について説明する。
【０２０４】
図１に示すように、「位置情報（絶対位置）とエリア情報（所定領域を示す情報）・レンジ情報（所定範囲を示す情報）との関係を示す情報」、「エリア情報（所定領域）と小型ＴＶ２０Ａ・ステレオ２０Ｂなどとの関係を示す情報」、「小型ＴＶ２０Ａ・ステレオ２０Ｂなどと、コンテンツプロトコルとの関係を示す情報」、「小型ＴＶ２０Ａ・ステレオ２０Ｂなどの優先順位を示す情報」、及び「小型ＴＶ２０Ａ・ステレオ２０Ｂの通信方式による優先順位を示す情報」などが含まれている。
【０２０５】
つぎに、図２は、コンテンツ移行テーブルの一部分の例を示す図であり、図３は、コンテンツ移行テーブルの他の一部分の例を示す図である。
【０２０６】
図２には、大項目として、１．エリア内装置特定方法、２．再生装置の優先順位、３．コンテンツ（再生コンテンツ）の通信方式の優先順位、４．タッチ転送設定、５．受け渡し手順、６．再生コンテンツを携帯端末に集約する際に、再生装置を一時停止するか否か、７．再生コンテンツを携帯端末に集約する際のアクション、８．端末移動検出設定が示されている。
【０２０７】
大項目の１．エリア内装置特定方法は、図１に示す「位置情報（絶対位置）とエリア情報（所定領域を示す情報）との関係を示す情報」に関する情報である。なお、ここでは、所定エリアとして、「自分の部屋（所定エリア）」のみが例示されているが、その他の各部屋も同様のコンテンツ移行テーブルを作成しておけば良い。
【０２０８】
自分の部屋には、ステレオ（再生装置）、ラジカセ（再生装置）、ＰＣ（再生装置）、小型ＴＶ（再生装置）、及び携帯電話子機（再生装置）が存在していることがわかる。それから、ステレオの装置特定方法としては、ＰＬＣと、Ｂｌｕｅｔｏｏｔｈとの２つの通信形式が利用できることがわかる。その他の再生装置についても同様である。
【０２０９】
また、最上段の欄には、「位置自動検出：ＯＦＦ」と記載されているが、「位置自動検出」は、エリア内装置特定部６が自動で、所定エリア内の再生装置を特定する機能を意味する。「位置自動検出：ＯＦＦ」の場合は、ユーザーがキースイッチ（装置選択手段）１４を介して手動で、所定エリアの名称を入力することで、所定エリア内の再生装置の特定が完了するようにエリア内装置特定部６を構成すれば良い。
【０２１０】
大項目の２．再生装置の優先順位は、「小型ＴＶ２０Ａ・ステレオ２０Ｂなどの優先順位を示す情報」に関する情報である。
【０２１１】
ここで、「コンテンツ毎に自動設定」との欄があるが、例えば、音楽コンテンツの場合は、自動設定ＯＮとなっているので、優先順位に従って、自動的に再生コンテンツが移行されることを示している。音楽コンテンツ以外の再生コンテンツの場合には、端末ディスプレイ４に利用可能な再生装置の候補が表示されるようになっている。
【０２１２】
例えば、音楽コンテンツを携帯端末１にて再生しているとすると、音楽コンテンツについては、「自動設定ＯＮ」とされているので、音楽コンテンツは、自動的に移行されることになる。
【０２１３】
つぎに、各再生装置ごとの優先順位が、ステレオが「１」、ラジカセが「３」、ＰＣが「２」、小型ＴＶが「４」、携帯電話子機が、「５」となっているので、優先順位は、ステレオ、ＰＣ、ラジカセ、小型ＴＶ、及び携帯電話子機の順序である。よって、音楽コンテンツの場合には、優先順位の最も高い番号「１」のステレオに自動的にコンテンツが移行されることになる。
【０２１４】
以上により、コンテンツ毎にコンテンツ移行の自動設定のＯＮ／ＯＦＦを予め設定しておくことができるので、ユーザーの利便性が向上する。
【０２１５】
大項目の３．コンテンツの通信方式の優先順位は、「小型ＴＶ２０Ａ・ステレオ２０Ｂの通信方式による優先順位を示す情報」に関する情報である。
【０２１６】
ここで、「再生装置毎に自動設定」とあるが、例えば、大項目２．で、音楽コンテンツの場合にステレオが特定された場合には、通信方式の優先順位に従って、自動的に該通信方式にて再生コンテンツが移行されることを示している。例えば、動画コンテンツの場合、上述したルールに従えば、端末ディスプレイ４に再生装置の候補として「ＰＣ・小型ＴＶ・携帯電話子機」が表示される。そこで、ユーザーは、キースイッチ１４を介して小型ＴＶを選択したものとする。このとき、利用可能な通信方式の優先順位は、ＷＬＡＮ（ＷｉｒｅｌｅｓｓＬＡＮ：無線ＬＡＮ）、ＰＬＣ、及びＩｒＳＳ（図２では、Ｉｒ−ＳＳと記載）の順序になる。
【０２１７】
よって、優先順位の最も高い番号「１」のＷＬＡＮが、自動的に通信方式として採用されて動画コンテンツが小型ＴＶに移行されることになる。
【０２１８】
以上により、再生装置毎に通信方式の自動設定のＯＮＯＦＦを予め設定しておくことができるので、ユーザーの利便性が向上する。
【０２１９】
大項目の４．タッチ転送設定は、図１には示されていない情報であるが、「ＹＥＳ」になっていると、携帯端末１を再生装置に近づける等した場合に、携帯端末１の再生コンテンツを該再生装置にただちに移行することを示す。
【０２２０】
例えば、携帯端末１と再生装置との通信方式として、ＰＬＣが選択されている場合、携帯端末１をその充電用の卓上ホルダーに装着した場合に、ＰＬＣで移行可能な再生装置に再生コンテンツをただちに移行するように携帯端末１を構成することができる。これにより、携帯端末１を充電するアクションを起こすだけで、再生コンテンツを移行できるので、ユーザーの利便性を向上させることができる。
【０２２１】
また、Ｂｌｕｅｔｏｏｔｈなどの無線通信を利用できる場合には、移行可能な再生装置からの無線通信の電波強度が、所定強度以上となった場合に、接続を確立し、再生コンテンツを再生装置にただちに移行するように携帯端末１を構成することができる。これにより、携帯端末１を所望の再生装置に近づけるだけで、再生コンテンツを移行できるので、ユーザーの利便性を向上させることができる。その他、ＩｒＤＡ、ＩｒＳＳなどの赤外線無線などでも同様に携帯端末１を構成し、ユーザーの利便性を向上させることができる。
【０２２２】
大項目の５．受け渡し手順は、図１に示されていない情報であるが、再生コンテンツを再生装置に移行する際のアクションを示している。例えば、ステレオ（図１のステレオ２０Ｂなど）に音楽コンテンツを移行する際に、ステレオに対して、「電源をＯＮにせよ」との指令信号を送信して、ステレオを自動的に起動させるように携帯端末１を構成することができる。その他、「音量は、Ｖｏｌ．６に設定せよ」、「照明は、輝度１に設定せよ」、「プレイリストを表示せよ」との指令信号で、同様に携帯端末１を構成することができる。これにより、所望のアクションを伴った再生コンテンツの移行を実現することができる。
【０２２３】
その他、携帯端末１から携帯電話子機（再生装置）に再生コンテンツを移行する場合に、携帯電話子機がマナーモードに設定されている場合には、無音となるようにして再生コンテンツを移行するように携帯端末１を構成することができる。
【０２２４】
また、ステレオ（ステレオ２０Ｂ）にヘッドホンが装着されていない場合は、無音で、装着されている場合には、通常音で再生するようにして再生コンテンツを移行するように携帯端末１を構成することもできる。これらにより、再生コンテンツの移行の際に、周囲に騒音を出して他人に迷惑をかけることがないという効果が得られる。
【０２２５】
また、携帯端末１でＷＥＢページ（再生コンテンツ）を閲覧している時には、ＰＣ（パーソナル・コンピュータ）のスタンバイ状態からＯＮに以降し、ＰＣのブラウザを起動し、携帯端末１で見ていたＷＥＢアドレスを携帯端末１から送信するように携帯端末１を構成することで、携帯端末１で見ていたＷＥＢページをＰＣのブラウザに表示させることができる。
【０２２６】
大項目の６．は、図１に示されていない情報であるが、ここでは、再生コンテンツを携帯端末１に集約する際に、再生装置を一時停止するか否かが設定される。これにより、節約モードが設定され、自動的にスタンバイ状態に移行するように設定されたＰＣの場合には、ＰＣでの再生コンテンツの再生を引き続き行わせたり、その他のステレオなどは一時停止させたりするように携帯端末１を構成することができる。これにより、各再生装置の再生コンテンツの再生を一時停止させるという面倒な作業を行うことなく、携帯端末１に再生コンテンツを集約させることができる。
【０２２７】
大項目の７．は、図１に示されていない情報であるが、ここででは、再生コンテンツを携帯端末１に集約する際のアクションの設定例が示されている。小項目Ａ．に示すように、接続を中止した再生装置の再生コンテンツのみを携帯端末１に集約するようにすれば、所望の再生装置に再生コンテンツを再生させたままで、再生コンテンツの集約を行うことができる。なお、想定される状況としては、ユーザー以外の者が所望の再生コンテンツの再生を希望している場合などが想定できる。
【０２２８】
また小項目Ｂ．に示すように、すべてのコンテンツの再生を中止するようにすれば、再生装置の再生を停止させるといった面倒な操作を行わなくて済むという効果が得られる。
【０２２９】
また、小項目Ｃ．に示すように、指定された再生装置へ再生コンテンツを移動させるようにすれば、再生コンテンツを所望の再生装置に自動的に保存させることができる。このような効果を得るには、具体的には、再生装置から再生コンテンツを一端、携帯端末１に移動させ、その後、携帯端末１から所望の再生装置に再生コンテンツを移動させるように携帯端末１を構成すればよい。
【０２３０】
さらに、小項目Ｄ．に示すように、再生装置が再生している再生コンテンツを一括で携帯端末１に移動させるようにすれば、携帯端末１のユーザーは、すべての再生コンテンツを携帯端末１に集約させて外出することができる。
【０２３１】
以上の構成により、再生コンテンツの集約手順をあらかじめコンテンツ移行テーブルに設定しておくことができるので、ユーザーの利便性が向上する。
【０２３２】
つぎに、図３に示すコンテンツ移行テーブルの例では、コンテンツプロトコルの事前登録の一例が示されている。このコンテンツ移行テーブルの例では、映像コンテンツ（図３では、単に「映像」とのみ記載する。以下、同様である）、音楽コンテンツなどの、各再生コンテンツの規格であるファイル形式（又はデータ圧縮方式）ごとのビットレートの登録例が、示されている。すなわち、図３は、図１に示す「小型ＴＶ２０Ａ・ステレオ２０Ｂなどと、コンテンツプロトコルとの関係を示す情報」の一例である。
【０２３３】
〔６．コンテンツ再生システム３０の動作の詳細〕
つぎに、図１〜図３及び図４〜図７のフローチャートに基づき、コンテンツ再生システム３０の動作について詳細に説明する。
【０２３４】
（大まかなフロー）
まず、図４のフローチャートに基づき、図１に示すコンテンツ再生システム３０の動作の大まかな流れについて説明する。図４に示すように、携帯端末１にて特定の再生コンテンツを再生しながら、ユーザーが帰宅して、特定の部屋に入室してステップＳ１（以下、単に「Ｓ１」などと記載し、「ステップ」は省略する）スタート（開始）となる。
【０２３５】
つぎに、Ｓ２Ａに進み、図１に示す携帯端末１が動作を開始する。詳細は以下で説明するが、Ｓ２Ａでは、携帯端末１が「再生中のコンテンツを移行フロー前半」を実行し、引き続き、携帯端末１が、「再生中のコンテンツを移行フロー後半」を実行する。これにより、携帯端末１で再生中の再生コンテンツの一部又は全部が小型ＴＶ２０Ａ・ステレオ２０Ｂなどに移行される。
【０２３６】
つぎに、ユーザーが特定の部屋から他の部屋に移動するアクションを起こした場合などにＳ３Ａに進む。Ｓ３Ａでは、携帯端末１が、「端末に集約して移動するフロー」を実行する。これにより、小型ＴＶ２０Ａ・ステレオ２０Ｂなどに移行された再生コンテンツの一部又は全部が、再び携帯端末１に集約される。
【０２３７】
つぎに、ユーザーが他の部屋に入室するとＳ２Ｂに進み、以降は、部屋を移動する度に、上述したフローが繰り返し実行され、最終的にユーザーが携帯端末１を持って外出した場合にＳ４に進み終了となる。
【０２３８】
（再生中のコンテンツを移行フロー前半）
つぎに、図５に示す、「再生中のコンテンツを移行フロー前半」について説明する。
【０２３９】
以下では、ユーザーが、映画コンテンツを視聴（再生）しながら、帰宅し、特定の部屋に入室し、図１に示すキースイッチ１４・入力制御部１３を介して携帯端末１に「コンテンツ移行開始」の指示を与えると、Ｓ１１に進む。
【０２４０】
なお、映画コンテンツの再生は、端末再生制御部２が、記録部１７に記録されている映画コンテンツのデータを読み出し、端末スピーカ３及び端末ディスプレイ４を制御して映画コンテンツを再生させているものとする。
【０２４１】
また、ここでは、簡単のため、ユーザーが携帯端末１に「コンテンツ移行開始」の指示を与える場合を示しているが、ＧＰＳなどにより携帯端末１の絶対位置を得て、その絶対位置が特定の部屋（所定エリア）に存在するに至った場合に、自動的に「再生中のコンテンツを移行フロー前半」を実行するように、携帯端末１を構成しても良い。
【０２４２】
つぎに、Ｓ１１では、携帯端末１の図示しないＣＰＵ（central processing unit）がコンテンツ移行テーブル（図２）を参照して、「自動位置検索機能ＯＮＯＦＦ」を確認し、「自動位置検索機能ＯＦＦ」となっているので、Ｓ１８に進み、ユーザーがキースイッチ１４を介して手動で場所（所定エリア：例えば、自分の部屋などをあらかじめ登録しておく）を入力してＳ１４に進む。
【０２４３】
一方、「自動位置検索機能ＯＮ」となっている場合には、ＣＰＵが、コンテンツプロトコル特定部５を駆動しＳ１２に進む。
【０２４４】
Ｓ１２では、ＣＰＵによって駆動されたコンテンツプロトコル特定部５が、端末再生制御部２が再生を行なっている映画コンテンツのファイル形式（又は圧縮方式）、例えば、「圧縮方式Ｍｐｅｇ２」（ＭＰＥＧ２：コンテンツプロトコル）を特定し、端末再生制御部２から映画コンテンツの再生位置情報（再生位置を示す情報）を取得する。
【０２４５】
つぎに、コンテンツプロトコル特定部５は、エリア内装置特定部６を駆動させると共に、適合装置特定部９に映画コンテンツの「圧縮方式Ｍｐｅｇ２」及び再生位置情報を転送してＳ１３に進む。
【０２４６】
Ｓ１３では、コンテンツプロトコル特定部５によって駆動されたエリア内装置特定部６が、装置検出部８を駆動する。装置検出部８は、端末送信制御部１０に「再生装置探索信号」を送信させる。つぎに、小型ＴＶ２０Ａ・ステレオ２０Ｂの通信制御部２１Ａ・通信制御部２１Ｂが「再生装置探索信号」を受信すると、コンテンツ管理部２２Ａ・コンテンツ管理部２２Ｂに転送する。つぎに、「再生装置探索信号」を受けたコンテンツ管理部２２Ａ・コンテンツ管理部２２Ｂは、通信制御部２１Ａ・通信制御部２１Ｂに、小型ＴＶ２０Ａ・ステレオ２０Ｂの装置ＩＤ（装置識別情報）を送信させる。
【０２４７】
端末受信制御部１８は、装置ＩＤを受信すると、装置検出部８を介して適合装置特定部９に装置ＩＤを転送する。これにより、装置検出部８又はエリア内装置特定部６は、小型ＴＶ２０Ａ・ステレオ２０Ｂの存在を検出（特定）することができる。よって、「ＹＥＳ」となり、コンテンツプロトコル特定部５によって駆動され、装置検出部８を介して装置ＩＤを転送されたエリア内装置特定部６は、さらに、適合装置特定部９を駆動させてＳ１４に進む。
【０２４８】
一方、Ｂｌｕｅｔｏｏｔｈ、ＧＰＳ、ＰＬＣなどで今いる場所（所定エリア）を検知できなかった場合は「ＮＯ」となり、Ｓ１９に進む。Ｓ１９では、適合装置特定部９が、端末再生制御部２を駆動し、端末再生制御部２が、端末ディスプレイ４に「場所を検知できなかった旨」を表示させてＳ１８に進む。
【０２４９】
なお、Ｓ１８については、上記と同様なので、説明は省略する。また、ここでは、端末ディスプレイ４に、場所を検知できなかった旨を表示させているが、図５に示すように、適合装置特定部９が、端末再生制御部２を駆動し、端末再生制御部２がスピーカ２５Ｂに警告音を発生させたり、バイブレータ機能を有する携帯端末１であれば、バイブレータを振動させることにより、ユーザーに報知するように構成しても良い。
【０２５０】
さて、Ｓ１４では、エリア内装置特定部６によって駆動された適合装置特定部９が、コンテンツプロトコル特定部５から受け取った映画コンテンツの「圧縮方式Ｍｐｅｇ２」及び再生位置情報、及びエリア内装置特定部６から転送された装置ＩＤに基づき、コンテンツ移行テーブルを参照してＳ１４に進む。
【０２５１】
Ｓ１５では、適合装置特定部９は、コンテンツ移行テーブル（図３）を参照して「圧縮方式Ｍｐｅｇ２」に適合する再生装置として「ＰＣ」、「小型ＴＶ２０Ａ（小型ＴＶ）」「携帯電話子機」を特定する。このとき、「自分の部屋」に再生コンテンツを移行できる機器（再生装置）が存在しているので、Ｓ１６に進む。
【０２５２】
一方、「自分の部屋」に再生コンテンツを移行できる機器（再生装置）が存在していなかった場合には、Ｓ２０に進み、「自動位置検索機能ＯＮ」の場合は、「ＹＥＳ」に進み、開始位置に戻る。また、「自動位置検索機能ＯＦＦ」の場合は、「ＮＯ」となりＳ２１に進む。Ｓ２１では、適合装置特定部９が、端末再生制御部２を駆動し、端末ディスプレイ４に、「移行できるデバイスがなかったことを表示させて」開始位置にもどる。
【０２５３】
Ｓ１６では、適合装置特定部９が、図２のコンテンツ移行テーブルの動画コンテンツ（映画コンテンツ）の行を参照し、「映像（映画コンテンツ）の自動設定がＯＦＦ」となっているので、端末再生制御部２を駆動し、再生装置毎の優先順位に従って、端末ディスプレイ４に「小型ＴＶ２０Ａ（小型ＴＶ）・ＰＣ・携帯電話子機」と表示（Ｓ１６）させ、Ｓ１７に進む。
【０２５４】
Ｓ１７では、「映像（映画コンテンツ）の自動設定がＯＦＦ」なので、「ＮＯ」となり、Ｓ２２に進む。一方、「映像の自動設定がＯＮ」となっていた場合には、「ＹＥＳ」にすすみ「結合子Ｂ」に至る。
【０２５５】
Ｓ２２では、適合装置特定部９が、端末再生制御部２を駆動し、端末ディスプレイ４に、「接続開始を促すメッセージを表示」させて、Ｓ２３に進む。
【０２５６】
ユーザーがキースイッチ１４を操作して「接続する」との意思表示をした場合には、「ＹＥＳ」となり「結合子Ｂ」に進む。
【０２５７】
一方、ユーザーがキースイッチ１４を操作して「接続しない」との意思表示をした場合には、「ＮＯ」となり「結合子Ａ」に進み開始位置に戻る。
【０２５８】
（再生中のコンテンツを移行フロー後半）
つぎに、図６に示す、「再生中のコンテンツを移行フロー後半」について説明する。
【０２５９】
図６に示す「結合子Ｂ」は、図５に示す「結合子Ｂ」から続くことを示している。また、図６に示す「結合子Ａ」は、図５に示す「結合子Ａ」に至ることを示している。
【０２６０】
まず、Ｓ３１では、再生コンテンツが複数存在する場合が想定されているので、ユーザーは、上述した映画コンテンツの他に、結合子チタスク処理によりＷＥＢページ（ＷＥＢコンテンツ：再生コンテンツ）も同時に閲覧中（再生中）であるとする。
【０２６１】
さて、Ｓ３１では、適合装置特定部９が、コンテンツ移行テーブルを参照し、映画コンテンツとＷＥＢコンテンツとのそれぞれのコンテンツプロトコルに適合する再生装置（デバイス）を、それぞれ、少なくとも１台以上発見（特定）している場合には、映画コンテンツ及びＷＥＢコンテンツの全てを移行できるため「ＹＥＳ」となり、Ｓ３２に進む。
【０２６２】
一方、映画コンテンツのコンテンツプロトコルに適合する小型ＴＶ２０Ａ（デバイス）を発見できたが、ＷＥＢコンテンツのコンテンツプロトコルに適合する再生装置（デバイス）を発見できなかった場合には、「ＮＯ」となり、Ｓ３５に進む。
【０２６３】
Ｓ３２では、適合装置特定部９が、特定した再生装置の装置ＩＤ、及びコンテンツプロトコル特定部５から受け取った「再生位置情報」を端末送信制御部１０に転送すると共に、端末送信制御部１０を駆動させてそれぞれの装置ＩＤに従って、対応する再生装置との接続を確立させ、全ての再生コンテンツの移行を実施するためＳ３３に進む。接続の確立の方法としては、端末送信制御部１０が特定の装置ＩＤに対応する再生装置に通信許可を要求する「通信許可要求信号（装置ＩＤを含む）」を発する。
【０２６４】
また、小型ＴＶ２０Ａ・ステレオ２０Ｂの通信制御部２１Ａ・通信制御部２１Ｂは、それぞれ、「通信許可要求信号」を受信すると、その旨をコンテンツ管理部２２Ａ・コンテンツ管理部２２Ｂに通知する。該通知を受けたコンテンツ管理部２２Ａ・コンテンツ管理部２２Ｂは、自装置の装置ＩＤと一致している場合には、通信制御部２１Ａ・通信制御部２１Ｂに、「通信許可信号」を携帯端末１に送信させる。これにより、携帯端末１と小型ＴＶ２０Ａ・ステレオ２０Ｂなどの再生装置との通信の接続が確立される。
【０２６５】
なお、携帯端末１から小型ＴＶ２０Ａ・ステレオ２０Ｂへの再生コンテンツの移行方法は、例えば、小型ＴＶ２０Ａ・ステレオ２０Ｂのコンテンツ管理部２２Ａ・コンテンツ管理部２２Ｂが、自装置が「通信許可信号」を発したこと、及び送信されてきた再生コンテンツが自装置の装置ＩＤを含んでいることを条件として通信制御部２１Ａ・通信制御部２１Ｂに該再生コンテンツなどの受信を許可するよう構成すれば良い。
【０２６６】
Ｓ３３では、端末受信制御部１８が、各装置ＩＤに対応する再生装置からの「通信許可信号（装置ＩＤを含む）」を受信した場合に、適合装置特定部９が「接続を確立できた」と判定するよう構成すれば良い。ここで、端末受信制御部１８が、上記の「通信許可信号」を全く受信することができなかった場合には、再生装置と正しく接続できなかったことになるため「ＮＯ」となり、Ｓ３８に進み、適合装置特定部９は端末再生制御部２を駆動して、端末ディスプレイ４に「移行できなかった旨」を表示させて「結合子Ａ」に至る。
【０２６７】
一方、携帯端末１が、すべての再生コンテンツに対応する再生装置との接続の確立できた場合には、「ＹＥＳ」となり、Ｓ３４に進む。Ｓ３４では、適合装置特定部９は、端末送信制御部１０にすべての再生コンテンツの移行を指示すると共に、端末再生制御部２を駆動して、端末ディスプレイ４に「コンテンツの移行が正常に修了した」と表示させてＳ３９に進み「修了」となる。
【０２６８】
Ｓ３５は、上述のように、Ｓ３１で映画コンテンツのコンテンツプロトコルに適合する小型ＴＶ２０Ａ（デバイス）を発見できたが、ＷＥＢコンテンツのコンテンツプロトコルに適合する再生装置（デバイス）を発見できなかった場合のステップである。
【０２６９】
Ｓ３５では、移行できる「映画コンテンツ」のみ小型ＴＶ２０Ａへの移行を開始する。また、ＷＥＢコンテンツについて携帯端末１での閲覧（再生）を続行する場合には、「ＹＥＳ」となり、Ｓ３６に進む。一方、ＷＥＢコンテンツについて携帯端末１での閲覧を続行しない場合には、「ＮＯ」となり「結合子Ａ」に進む。
【０２７０】
Ｓ３６では、端末受信制御部１８が、小型ＴＶ２０Ａからの「通信許可信号（装置ＩＤを含む）」を受信した場合に、適合装置特定部９が「接続を確立できた」と判定して、Ｓ３７に進む。Ｓ３７では、適合装置特定部９が、端末送信制御部１０に、小型ＴＶ２０Ａへの映画コンテンツの移行を指示し、端末送信制御部１０が小型ＴＶ２０Ａに映画コンテンツを送信したことを確認して、端末再生制御部２を駆動し、端末ディスプレイ４に「一部のコンテンツを移行した」と表示させてＳ３９に進み「終了」となる。
【０２７１】
一方、端末受信制御部１８が、上記の「通信許可信号」を受信することができなかった場合には、小型ＴＶ２０Ａと正しく接続できなかったことになるため「ＮＯ」となり、Ｓ３８に進み、適合装置特定部９は端末再生制御部２を駆動して、端末ディスプレイ４に「移行できなかった旨」を表示させて「結合子Ａ」に至る。
【０２７２】
（端末に集約して移動するフロー）
つぎに、図７に示す、「端末に集約して移動するフロー」について説明する。
【０２７３】
図６のＳ３２〜Ｓ３４では、適合装置特定部９が、特定した再生装置の装置ＩＤ、及びコンテンツプロトコル特定部５から受け取った「再生位置情報」を端末送信制御部１０に転送すると共に、端末送信制御部１０を駆動させてそれぞれの装置ＩＤに従って、対応する再生装置との接続を確立させ、全ての再生コンテンツの移行を実施した。
【０２７４】
以下では、まず、携帯端末１から再生装置に再生コンテンツのデータの送信が行われたことを前提としてＳ４１〜Ｓ４３までの各フローを説明する。その後、再生装置がデータを保持した上で（データ自体は、例えば、小型ＴＶ２０Ａ・ステレオ２０Ｂの記録部２３Ａ・記録部２３Ｂに格納されているものとする）再生を行なっている任意のコンテンツ（以下、携帯端末１から再生装置に再生コンテンツのデータを送信が行われたことを前提とする場合と同様に、便宜上「再生コンテンツ」と呼ぶ）を携帯端末１に集約する場合を前提としてＳ４１〜Ｓ４３までの各フローを説明する。
【０２７５】
なお、上記の説明では、集約される再生コンテンツのデータを保持するのは、携帯端末１である場合と、小型ＴＶ２０Ａ・ステレオ２０Ｂである場合のいずれかのみのように読める。
【０２７６】
しかしながら、例えば、ユーザが外出時に携帯端末１にて動画コンテンツを再生して帰宅した場合などのように、音コンテンツは携帯端末１が保持して端末スピーカ３で再生が行なわれ、画像コンテンツは小型ＴＶ２０Ａが保持してディスプレイ２５Ａで再生が行なわれている場合のように、１つの再生コンテンツに由来の音コンテンツと画像コンテンツとがそれぞれ携帯端末１と小型ＴＶ２０Ａとの別々の装置で保持されている場合なども考えられる。
【０２７７】
まず、携帯端末１から再生装置に再生コンテンツのデータの送信が行われたことを前提とする場合についてであるが、Ｓ４１で、適合装置特定部９は、端末受信制御部１８が、各装置ＩＤに対応する再生装置からの「通信許可信号（装置ＩＤを含む）」を受信した場合に、「接続を確立できた」と判定し、「通信許可信号」を受信できなかた場合に、「接続を確立できなかった」と判定する。これにより、「接続デバイスとの状況」が確認されると、Ｓ４２に進む。
【０２７８】
Ｓ４２では、適合装置特定部９が端末送信制御部１０に再生コンテンツの送信を指示して、Ｓ４３に進む。Ｓ４３では、適合装置特定部９が端末送信制御部１０に再生コンテンツの送信を指示した送信先の再生装置の装置ＩＤ（送信先情報）を記録部１７に記録して、Ｓ４４に進む。
【０２７９】
つぎに、再生装置がデータを保持した上で再生を行なっている任意のコンテンツを携帯端末１に集約する場合についてであるが、Ｓ４１で、適合装置特定部９は、端末受信制御部１８が、各装置ＩＤに対応する再生装置からの「通信許可信号（装置ＩＤを含む）」を受信した場合に、「接続を確立できた」と判定し、「通信許可信号」を受信できなかた場合に、「接続を確立できなかった」と判定する。これにより、「接続デバイスとの状況」が確認されると、Ｓ４２に進む。
【０２８０】
Ｓ４２では、適合装置特定部９が端末送信制御部１０を駆動し、「コンテンツプロトコル通知要求」を、「接続を確立できた」と判定された小型ＴＶ２０Ａ（以下、特定の画像コンテンツを小型ＴＶ２０Ａが再生しているものとする）に送信する。
【０２８１】
小型ＴＶ２０Ａのコンテンツ管理部２２Ａは、通信制御部２１Ａを介して携帯端末１から送信された「コンテンツプロトコル通知要求」を受け、再生制御部２４Ａによって画像コンテンツの再生が行なわれていることを確認すると、通信制御部２１Ａを駆動して再生中の画像コンテンツの「コンテンツプロトコル」、自装置の装置ＩＤ、及び小型ＴＶ２０Ａで再生を行なっている画像コンテンツに関する情報（不図示：画像コンテンツの総容量及び該画像コンテンツの権利管理情報等も含む。以下同じ）を携帯端末１に送信させる。
【０２８２】
適合装置特定部９は、端末受信制御部１８を介して「コンテンツプロトコル」及び装置ＩＤ、及び小型ＴＶ２０Ａで再生を行なっている画像コンテンツに関する情報（不図示）を受け、これにより、小型ＴＶ２０Ａで画像コンテンツの再生が行なわれていることを確認する。それから、適合装置特定部９は、記録部１７に格納されている「コンテンツ移行テーブル」を参照して「コンテンツプロトコル」に基づき、画像コンテンツを携帯端末１に移行することが可能であるか否かを判断してＳ４３に進む。
【０２８３】
Ｓ４３では、適合装置特定部９は、画像コンテンツを携帯端末１に移行することが可能であると判断した場合には、小型ＴＶ２０Ａの装置ＩＤ（送信先情報）及び小型ＴＶ２０Ａで再生を行なっている画像コンテンツに関する情報を記録部１７に記録して、Ｓ４４に進む。
【０２８４】
Ｓ４４では、携帯端末１と小型ＴＶ２０Ａ・ステレオ２０Ｂなどの再生装置との接続状態に変化はないかを確認する。ここで、「接続状態の変化」とは、携帯端末１とコンテンツの再生を行なっている他の再生装置との通信が切れた状態を意味する。
【０２８５】
具体的には、第１の状態は、携帯端末１の電池が切れそうな場合が考えられる。この場合には、携帯端末１の電池が切れるまでに、再生コンテンツを他の再生装置に引き渡す（移行する）処理を行なように構成する。
【０２８６】
第２の状態は、特定の部屋で継続視聴を楽しんでいる際に、再生装置の電池が切れそうになる、又は停電で動かなくなる場合（但しこの停電で動かなくなる場合には携帯端末１の記録部１７に再生コンテンツのデータが記録されている必要がある。）が考えられる。この場合にも、携帯端末１に再生コンテンツのデータを集約する。
【０２８７】
第３の状態は、電波障害により携帯端末１と再生装置との接続が困難になった場合が考えられる。例えば、Ｂｌｕｅｔｏｏｔｈで携帯端末１の音楽をステレオ２０Ｂで再生中に電子レンジを使用した際にステレオ２０Ｂでの再生が困難となった場合などが考えられる。この場合にも、携帯端末１に再生コンテンツのデータを集約する。なお、この場合、以下でも説明するが、再生装置側の再生コンテンツのデータを携帯端末１に移動させる場合には、携帯端末１と再生装置との接続を回復させる必要がある。この接続回復方法としては、ユーザが携帯端末１と再生装置とを電波障害を回避できる距離に近づけて接続を回復させる場合と、携帯端末１と再生装置との通信手段を接続可能な別の通信手段に変更する場合も考えられる。
【０２８８】
第４の状態は、携帯端末１の処理が重くなり、再生装置への送信が困難になった場合が考えられる。例えば、携帯端末１で音楽コンテンツを再生し、ＷｉＦｉ（無線ＬＡＮの標準規格であるIEEE802.11a,IEEE802.11bの愛称）にて端末スピーカ３から再生している状況で、さらに、携帯端末１で地デジ（１２セグ）を起動しながら、２画面でＷＥＢブラウジングを開始したような場合（マルチタスク処理のタスクの数が多すぎるような場合）が考えられる。この場合、携帯端末１での音楽コンテンツの再生が困難になった時点で、再生中の音楽コンテンツを再生装置に移行するように構成する。なお、その他、部屋の移動が行なわれる場合などが考えられる。
【０２８９】
以下では、「接続状態の変化」のうち、部屋の移動が行なわれる場合について説明する。例えば、図１の位置検出部７がＧＰＳで構成されている場合、位置検出部７は、定期的に端末受信制御部１８から衛生通信による携帯端末１の絶対位置を得る構成とし、移動判定部１１は、該絶対位置が所定レンジ（例えば、再生コンテンツの移行を実施していた部屋の中央を基点とする特定の領域。）外へ移動した場合に「携帯端末１と小型ＴＶ２０Ａ・ステレオ２０Ｂなどの再生装置との接続状態に変化があった」と判定し、適合装置特定部９にその旨を通知してＳ４５に進む。
【０２９０】
Ｓ４５では、移動判定部１１から「携帯端末１と小型ＴＶ２０Ａ・ステレオ２０Ｂなどの再生装置との接続状態に変化があった」との通知を受けた適合装置特定部９が、端末再生制御部２を駆動して、端末ディスプレイ４に「他の機器（再生装置）で再生・表示していたコンテンツを携帯端末（携帯端末１）で再生する？」との表示を行なわせて、Ｓ４６に進む。
【０２９１】
Ｓ４６では、移行する再生コンテンツがすべて携帯端末１に保持されている（記録部１７に記録されている）か否かによってフローが分岐する。移行する再生コンテンツがすべて携帯端末１に保持されている場合にはＳ４７に進む。
【０２９２】
Ｓ４７では、端末送信制御部１０が、所定エリア内に存在する１つ以上の通信可能な再生装置に対して再生コンテンツのデータを送信している場合において、移動判定部１１により所定レンジ外へ移動したと検出された場合に、再生装置に対する再生コンテンツのデータの送信を中止する。その後、端末送信制御部１０が、特定の再生装置に対する再生コンテンツのデータの送信を中止した旨を適合装置特定部９に通知し、該通知を受けた適合装置特定部９は、端末再生制御部２を駆動して前記の再生コンテンツの再生を行なわせてＳ４８に進む。
【０２９３】
すなわち、もともと携帯端末１側に保持されている再生コンテンツのデータを再生装置に送信していただけなので、送信を中止した再生コンテンツを携帯端末１の端末スピーカ３又は端末ディスプレイ４にて再生するようにすれば、再生装置で再生が行なわれていた再生コンテンツの携帯端末１への集約が実現される。
【０２９４】
Ｓ４８では、すべての再生コンテンツの集約（移行）が正常に実施された場合には、「ＹＥＳ」となり「終了」に進む。また、特定の再生コンテンツの集約（移行）が正常に実施できなかった場合には、適合装置特定部９は、端末再生制御部２を駆動して、端末ディスプレイ４に「特定の再生コンテンツが移行できなかった」と表示して「終了」に進む。
【０２９５】
一方、Ｓ４６で、集約（移行）する再生コンテンツのすべてが、携帯端末１に保持されていない場合（すべての再生コンテンツが再生装置側で保持されている場合と、再生コンテンツの一部が携帯端末１側に保持されているが、残りの再生コンテンツは再生装置側に保持されている場合とを含む）にはＳ５０に進む。
【０２９６】
Ｓ５０では、接続できなくなった再生コンテンツを携帯端末に移動させるか否かによってフローが分岐する。まず、ユーザがあらかじめ「接続できなくなった再生コンテンツを携帯端末に移動させない」との設定などを行っていた場合には、「ＮＯ」となりＳ５１に進む。なお、ユーザが直接キースイッチ１４を介して「接続できなくなった再生コンテンツを携帯端末に移動させない」旨の意思表示を携帯端末１（入力制御部１３を介して適合装置特定部９に命令する。以下同じ）が受けるよう構成することも考えられる。
【０２９７】
Ｓ５１では、適合装置特定部９が端末再生制御部２を駆動して端末ディスプレイ４に「特定の再生コンテンツを中止する」旨を表示して「終了」へ進む。
【０２９８】
一方、Ｓ５０で、ユーザがあらかじめ「接続できなくなった再生コンテンツを携帯端末に移動させる」との設定などを行っていた場合や、ユーザがキースイッチ１４を介して「接続できなくなった再生コンテンツを携帯端末に移動させる」旨の意思表示を携帯端末１が受けた場合には、「ＹＥＳ」となりＳ５２に進む。
【０２９９】
Ｓ５２では、適合装置特定部９が、例えば、外出中に携帯端末１にて動画コンテンツの再生を行なっていたような場合には、記録部１７に記録されている小型ＴＶ２０Ａの装置ＩＤ（送信先情報）及び小型ＴＶ２０Ａで再生を行なっている画像コンテンツに関する情報を参照して、当該画像コンテンツが記録部１７に記録されているか確認してＳ５３に進む。
【０３００】
なお、この画像コンテンツの記録の確認は、適合装置特定部９が記録部１７を直接確認（不図示）するよう構成すれば実現できる。なお、同確認は、この画像コンテンツを携帯端末１側で再生しているか否かに関わらず行なわれるように構成することが好ましい。
【０３０１】
Ｓ５３では、ユーザがキースイッチ１４を介して携帯端末１へ集約（移動・移行）する再生コンテンツを選択してＳ５４に進む。例えば、上記のフローでは、小型ＴＶ２０Ａで再生を行なっている画像コンテンツの集約を選択する。
【０３０２】
Ｓ５４では、適合装置特定部９が、記録部１７に記録されている小型ＴＶ２０Ａで再生を行なっている画像コンテンツに関する情報（上述のように画像コンテンツの総容量及び権利管理情報を含んでいる）を参照して、該画像コンテンツの総容量及び権利管理情報などを入手してＳ５５に進む。
【０３０３】
Ｓ５５では、適合装置特定部９が、入手した画像コンテンツの総容量と記録部１７のデータ領域の総容量とを比較してＳ５６に進む。
【０３０４】
Ｓ５６では、適合装置特定部９が画像コンテンツを記録部１７に記録するためのメモリエリア（データ領域）が確保されているか否か、及び画像コンテンツの権利管理情報などから画像コンテンツを携帯端末１に集約可能か否かを判断する。この判断によってフローは分岐する。
【０３０５】
なお、上記の例によれば、画像コンテンツは、１つの動画コンテンツ由来のコンテンツであるから、携帯端末１から小型ＴＶ２０Ａに画像コンテンツを分離して移動させた（小型ＴＶ２０Ａの記録部２３Ａへ保存させた）ような場合には、著作権等権利管理の関係上集約不可の可能性が高い。
【０３０６】
さて、Ｓ５６で、適合装置特定部９が、特定の再生コンテンツの集約可能と判断した場合には、「ＹＥＳ」となり、Ｓ５９に進む。
【０３０７】
Ｓ５９では、適合装置特定部９が特定の再生コンテンツの集約（移行）が正しく行なわれたか否か確認し、すべての再生コンテンツの移行が正しく実行された場合には、「ＹＥＳ」に進み「終了」となる。
【０３０８】
一方、Ｓ５９で、適合装置特定部９が特定の再生コンテンツの集約が正しく実行されていないと判断した場合には、Ｓ６０に進む。
【０３０９】
Ｓ６０では、適合装置特定部９が記録部１７に記録されている「コンテンツ移行テーブル」を参照して、集約が正しく実行できなかった再生コンテンツを集約するための別の通信手段が存在しているか否か確認する。適合装置特定部９が、接続可能な別の通信手段が存在していると判断した場合には「ＹＥＳ」となりＳ６１に進む。
【０３１０】
Ｓ６１では、ユーザがキースイッチ１４を介して例えば、ＣＤＭＡなどの携帯網（別の通信手段）を使って集約（送付）するを選択し、適合装置特定部９はユーザの選択に従って、再生コンテンツの集約を実行し、Ｓ５９に戻る。
【０３１１】
一方、Ｓ６０で、適合装置特定部９が別の通信手段が存在していないと判断した場合には「ＮＯ」となりＳ４９に進み「終了」となる。
【０３１２】
さて、Ｓ５６で、適合装置特定部９が、特定の再生コンテンツの集約不可能と判断した場合には、「ＮＯ」となり、Ｓ５７に進む。
【０３１３】
Ｓ５７では、適合装置特定部９が端末再生制御部２を駆動して端末ディスプレイ４に「特定の再生コンテンツが、メモリ不足や著作権等権利管理上、集約（移行）不可」である旨を表示させてＳ５８に進む。
【０３１４】
Ｓ５８では、ユーザがキースイッチ１４を介して携帯端末１（入力制御部１３を介して適合装置特定部９）に移動可能な再生コンテンツのみを移動（移行・集約）するか否かを指示する。ユーザが移動可能な再生コンテンツのみを移動（移行・集約）するを選択した場合には、「ＹＥＳ」となりＳ６１に進む。なお、このフローに従ったＳ６１では、ユーザは、現在接続している通信手段で通信可能な場所まで移動するか、携帯網（別の通信手段）を使って集約（送付）するかを選択することになる。
【０３１５】
一方、Ｓ５８で、ユーザがキースイッチ１４を介して携帯端末１（入力制御部１３を介して適合装置特定部９）に移動可能な再生コンテンツを移動しないを選択した場合には、Ｓ４９に進み、「終了」となる。
【０３１６】
つぎに、想定される「端末に集約するフロー」の例として４つのパターンの概要を説明する。
【０３１７】
第１のパターンは「再生しているコンテンツの全てが携帯端末１にある場合」であり、例えば、携帯端末１の記録部１７に記録されているコンテンツ（再生コンテンツ）を小型ＴＶ２０Ａやステレオ２０Ｂで再生している場合などが考えられる。この場合には、コンテンツの再生の出口（スピーカやディスプレイ）が携帯端末１から小型ＴＶ２０Ａ・ステレオ２０Ｂに変更されているだけなので、図７において以下のフローとなる。
【０３１８】
「Ｓ４１→Ｓ４２→Ｓ４３→Ｓ４４→Ｓ４５→Ｓ４６→Ｓ４７→Ｓ４８」
第２のパターンは、小型ＴＶ２０Ａ・ステレオ２０Ｂの記録部２３Ａ・記録部２３Ｂに記録されているコンテンツを再生している場合（携帯端末１の記録部１７に同一のコンテンツが記録されていない）などが考えられる。この場合には、各再生装置のコンテンツを携帯端末１に移動させるので、図７において以下のフローとなる。
【０３１９】
「Ｓ４１→Ｓ４２→Ｓ４３→Ｓ４４→Ｓ４５→Ｓ４６→Ｓ５０→Ｓ５２→Ｓ５３→Ｓ５４→Ｓ５５→Ｓ５６→Ｓ５７→Ｓ５８→Ｓ６１→Ｓ５９」
なお、上記のフローで、携帯端末１のメモリ不足や、コピーや移動が許されていないコンテンツがある場合はＳ５６→Ｓ５７のフローで処理を行なう。
【０３２０】
第３のパターンは、小型ＴＶ２０Ａ・ステレオ２０Ｂの記録部２３Ａ・記録部２３Ｂに記録されているコンテンツを再生している場合（携帯端末１の記録部１７に一部同一のコンテンツが記録されている場合）などが考えられる。この場合には、各再生装置で再生中のコンテンツが携帯端末１にあるか否かを確認する（Ｓ５２）ことで、コンテンツの移動では無く、切り替えによって見かけ上、再生装置から携帯端末１への切り替えを行なうので図７において以下のフローとなる。
【０３２１】
「Ｓ４１→Ｓ４２→Ｓ４３→Ｓ４４→Ｓ４５→Ｓ４６→Ｓ５０→Ｓ５２→Ｓ５３→Ｓ５４→Ｓ５５→Ｓ５６→Ｓ５７→Ｓ５８→Ｓ６１→Ｓ５９」
第４のパターンは「再生しているコンテンツの全てが携帯端末１と再生装置で同時に再生されている場合」であり、例えば、外出時は携帯端末１にて動画コンテンツの再生を行なっており、特定の部屋にて携帯端末１の端末スピーカ３にて音コンテンツを再生し、小型ＴＶ２０Ａにて画像コンテンツの再生が行なわれている場合であり、第１のパターンに包含されるので、図７において以下のフローとなる。
【０３２２】
「Ｓ４１→Ｓ４２→Ｓ４３→Ｓ４４→Ｓ４５→Ｓ４６→Ｓ４７→Ｓ４８」
以上より、コンテンツサーバなどの大掛かりな装置を必要とすることなく、携帯端末１と小型ＴＶ２０Ａ・ステレオ２０Ｂなどとの間で気軽に視聴継続を楽しむことができる。
【０３２３】
なお、本発明は、上述した実施形態のそれぞれの例に限定されるものではなく、請求項に示した範囲で種々の変更が可能であり、異なる例にそれぞれ開示された技術的手段を適宜組み合わせて得られる実施形態についても本発明の技術的範囲に含まれる。
【０３２４】
最後に、コンテンツ再生システム３０の各ブロック、特に携帯端末１の端末再生制御部２、コンテンツプロトコル特定部５、エリア内装置特定部６、適合装置特定部９、端末送信制御部１０、移動判定部１１、端末記録管理部１２、及び端末受信制御部１８など、並びに、小型ＴＶ２０Ａ・ステレオ２０Ｂの通信制御部２１Ａ・通信制御部２１Ｂ、コンテンツ管理部２２Ａ・コンテンツ管理部２２Ｂなどは、ハードウェアロジックによって構成してもよいし、次のようにＣＰＵを用いてソフトウェアによって実現してもよい。
【０３２５】
すなわち、コンテンツ再生システム３０は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアであるコンテンツ再生システム３０の制御プログラムのプログラムコード（実行形式プログラム、中間コードプログラム、ソースプログラム）をコンピュータで読み取り可能に記録した記録媒体を、前記コンテンツ再生システム３０に供給し、そのコンピュータ（又はＣＰＵやＭＰＵ）が記録媒体に記録されているプログラムコードを読み出し実行することによっても、達成可能である。
【０３２６】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０３２７】
また、コンテンツ再生システム３０を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０３２８】
なお、本発明の携帯端末は、コンテンツの再生を行なう端末再生制御手段を備える携帯端末であって、所定領域内に存在する１つ以上の通信可能な再生装置を特定する領域内装置特定手段と、前記領域内装置特定手段によって特定された再生装置によって再生が行なわれている再生コンテンツに関する規約であるコンテンツプロトコルを示す情報を、該再生装置から受信する端末受信制御手段と、前記端末受信制御手段が受信した前記コンテンツプロトコルを示す情報から該再生コンテンツを自端末で再生することが可能であるか否かを判定する再生可否判定手段と、前記再生可否判定手段が、前記再生コンテンツを自端末で再生することが可能であると判定した場合に、該再生コンテンツの自端末への送信を指示する送信指示信号を送信する端末送信制御手段とを備えていても良い。
【０３２９】
前記構成によれば、領域内装置特定手段が、所定領域内に存在する１つ以上の通信可能な再生装置を特定し、端末受信制御手段は、特定された再生装置によって再生が行なわれている再生コンテンツに関する規約であるコンテンツプロトコルを示す情報を、該再生装置から受信する。
【０３３０】
これにより、携帯端末が、所定領域内に存在する通信可能な再生装置、及び該再生装置が再生を行なっている再生コンテンツのコンテンツプロトコルを認知することが可能となる。
【０３３１】
また、再生可否判定手段は、受信したコンテンツプロトコルを示す情報から該再生コンテンツを自端末で再生することが可能であるか否かを判定する。
【０３３２】
これにより、携帯端末にて再生できない再生コンテンツのデータを受け取ることを防止することができる。
【０３３３】
さらに、端末送信制御手段は、前記再生可否判定手段が、前記再生コンテンツを自端末で再生することが可能であると判定した場合に、該再生コンテンツの自端末への送信を指示する送信指示信号を送信する。
【０３３４】
なお、再生可否判定手段の役割は、上記の適合装置特定手段が担う役割として構成しても良い。
【０３３５】
これにより、携帯端末は、再生装置が再生を行なっている１つ以上の任意の再生コンテンツのデータを自端末に送信させることが可能となるので、外出の際にも該再生コンテンツを携帯端末にて継続視聴することが可能となる。
【０３３６】
また、本発明の再生装置は、コンテンツの再生を行なう装置再生制御手段を備える再生装置であって、前記携帯端末から、前記装置再生制御手段によって再生が行なわれている再生コンテンツのデータの送信を指示する送信指示信号を受信した場合に、該再生コンテンツの送信を行なう通信制御手段とを備えていても良い。
【０３３７】
また、本発明の再生装置は、前記通信制御手段は、前記携帯端末からの送信指示を受信した場合に、自装置によって再生が行なわれている再生コンテンツに関する規約であるコンテンツプロトコルを示す情報を、前記携帯端末に送信しても良い。
【０３３８】
前記構成によれば、通信制御手段は、前記携帯端末から、前記装置再生制御手段によって再生が行なわれている再生コンテンツのデータの送信を指示する送信指示信号を受信した場合に、該再生コンテンツの送信を行なう。
【０３３９】
また、通信制御手段は、携帯端末からの送信指示を受信した場合に、自装置によって再生が行なわれている再生コンテンツに関する規約であるコンテンツプロトコルを示す情報を、携帯端末に送信する。
【０３４０】
これにより、再生装置は、携帯端末からの指示により、自装置が再生を行なっている再生コンテンツのデータを該携帯端末に送信することが可能となる。
【０３４１】
以上によれば、携帯端末を所有して外出する際に、屋内の再生装置で再生を行なっていた任意の再生コンテンツのうち、携帯端末が使用可能なコンテンツプロトコルに適合する再生コンテンツの継続視聴が可能となる。
【産業上の利用可能性】
【０３４２】
本発明は、携帯端末、再生装置、及び該携帯端末及び再生装置を含むコンテンツ再生システムなどに適用できる。例えば、音楽、映画、ＴＶ放送、Ｗｅｂ閲覧、カメラ撮影などを行うことが可能な携帯電話、ＰＤＡ、デジタルカメラ及び携帯プレーヤーなどに適用することができる。また、音楽、ビデオなどに加え、メール、ＷＥＢ（World Wide Web）、写真やカメラ立ち上げ時のファインダ画面、ワンセグ、３セグ、地デジなどの放送コンテンツなどのさまざまなコンテンツを利用することができる端末、デジタルカメラ、及びＡＶ（audio and visual）機器などにも適用することができる。また、これらの端末、装置、及び機器等を適宜組合せたシステムなどにも適用することができる。
【図面の簡単な説明】
【０３４３】
【図１】本発明におけるコンテンツ再生システムの実施の一形態を示すブロック図である。
【図２】前記コンテンツ再生システムにおいて使用されるコンテンツ移行テーブルの一部分の例を示す図である。
【図３】前記コンテンツ再生システムにおいて使用されるコンテンツ移行テーブルの他の一部分の例を示す図である。
【図４】前記コンテンツ再生システムの動作の概要を示すフローチャートである。
【図５】前記コンテンツ再生システムの動作（再生中のコンテンツを移行するフロー前半）を示すフローチャートである。
【図６】前記コンテンツ再生システムの動作（再生中のコンテンツを移行するフロー後半）を示すフローチャートである。
【図７】前記コンテンツ再生システムの動作（端末に集約して移動するフロー）を示すフローチャートである。
【図８】前記コンテンツ再生システムの機能の概要を示す概要図である。
【符号の説明】
【０３４４】
１  携帯端末
２  端末再生制御部（端末再生制御手段）
３  端末スピーカ
４  端末ディスプレイ（表示部）
５  コンテンツプロトコル特定部（適合装置特定手段）
６  エリア内装置特定部（領域内装置特定手段）
７  位置検出部（領域内装置特定手段）
８  装置検出部（領域内装置特定手段）
９  適合装置特定部（適合装置特定手段）
１０  端末送信制御部（データ送信制御手段）
１１  移動判定部（端末移動検出手段）
１２  端末記録管理部（記録管理手段）
１３  入力制御部
１４  キースイッチ（装置選択手段、返還指示手段）
１５  マイク
１６  カメラ
１７  記録部
１８  端末受信制御部
２０Ａ  小型ＴＶ（再生装置）
２０Ｂ  ステレオ（再生装置）
２１Ａ、２１Ｂ  通信制御部（通信制御手段）
２２Ａ、２２Ｂ  コンテンツ管理部（コンテンツ管理手段）
２３Ａ、２３Ｂ  記録部
２４Ａ、２４Ｂ  再生制御部（装置再生制御手段）
２５Ａ  ディスプレイ
２５Ｂ  スピーカ
３０  コンテンツ再生システム
【図１】
2009060512.tif 000003
【図２】
2009060512.tif 000004
【図３】
2009060512.tif 000005
【図４】
2009060512.tif 000006
【図５】
2009060512.tif 000007
【図６】
2009060512.tif 000008
【図７】
2009060512.tif 000009
【図８】
2009060512.tif 000010